(57)【特許請求の範囲】
【請求項１】
８以上の偶数の正整数Ｑ毎に区分され、その区分の中の並びの位置が同位置にあるアノードセグメントを列方向に連結してＱ個のアノード引出線を有して形成されるアノードセグメント行と、前記アノードセグメント行と直交する行方向に延びグリッド引出線を有して形成されるグリッド電極と、を有し、
複数個の前記アノードセグメント行と複数個の前記グリッド電極の列とをマトリック状に配置して、各々のグリッド電極と各々のアノードセグメント行の中のＱ／２個のアノードセグメントとを対向させて形成される、Ｑ重アノードマトリクス方式の蛍光表示管において、
隣接する第１のグリッド電極と第２のグリッド電極とをオンとすることによって発光可能とされるＱ個のアノードセグメントの中で、
前記第１のグリッド電極に最も近接した位置から順に配置され前記第２のグリッド電極に対向する１個ないし（Ｑ／２−１）個の範囲中のいずれかの個数であるＲ個のアノードセグメントと、前記第２のグリッド電極に最も近接した位置から順に配置され前記第１のグリッド電極に対向する（Ｑ／２−Ｒ）個のアノードセグメントとの、合計してＱ／２個のアノードセグメントが選択されて形成される複数の選択ピクセルの中の１の選択ピクセルを順次１フレームずつ表示信号に応じて発光させる駆動回路を具備する、
蛍光表示管。
【請求項２】
前記駆動回路は、該蛍光表示管の内部に配置されることを特徴とする、請求項１に記載の蛍光表示管。
【請求項３】
８以上の偶数の正整数Ｑ毎に区分され、その区分の中の並びの位置が同位置にあるアノードセグメントを列方向に連結してＱ個のアノード引出線を有して形成されるアノードセグメント行と、前記アノードセグメント行と直交する行方向に延びグリッド引出線を有して形成されるグリッド電極と、を有し、
複数個の前記アノードセグメント行と複数個の前記グリッド電極の列とをマトリック状に配置して、各々のグリッド電極と各々のアノードセグメント行の中のＱ／２個のアノードセグメントとを対向させて形成される、Ｑ重アノードマトリクス方式の蛍光表示管の駆動回路において、
隣接する第１のグリッド電極と第２のグリッド電極とをオンとすることによって発光可能とされるＱ個のアノードセグメントの中で、
前記第１のグリッド電極に最も近接した位置から順に配置され前記第２のグリッド電極に対向する１個ないし（Ｑ／２−１）個の範囲中のいずれかの個数であるＲ個のアノードセグメントと、前記第２のグリッド電極に最も近接した位置から順に配置され前記第１のグリッド電極に対向する（Ｑ／２−Ｒ）個のアノードセグメントとの、合計してＱ／２個のアノードセグメントが選択されて形成される複数の選択ピクセルの中の１の選択ピクセルを順次１フレームずつ表示信号に応じて発光させる、
蛍光表示管の駆動回路。
【請求項４】
８以上の偶数の正整数Ｑ毎に区分され、その区分の中の並びの位置が同位置にあるアノードセグメントを列方向に連結してＱ個のアノード引出線を有して形成されるアノードセグメント行と、前記アノードセグメント行と直交する行方向に延びグリッド引出線を有して形成されるグリッド電極と、を有し、
複数個の前記アノードセグメント行と複数個の前記グリッド電極の列とをマトリック状に配置して、各々のグリッド電極と各々のアノードセグメント行の中のＱ／２個のアノードセグメントとを対向させて形成される、Ｑ重アノードマトリクス方式の蛍光表示管を駆動する蛍光表示管の駆動方法において、
隣接する第１のグリッド電極と第２のグリッド電極とをオンとすることによって発光可能とされるＱ個のアノードセグメントの中で、
前記第１のグリッド電極に最も近接した位置から順に配置され前記第２のグリッド電極に対向する１個ないし（Ｑ／２−１）個の範囲中のいずれかの個数であるＲ個のアノードセグメントと、前記第２のグリッド電極に最も近接した位置から順に配置され前記第１のグリッド電極に対向する（Ｑ／２−Ｒ）個のアノードセグメントとの、合計してＱ／２個のアノードセグメントが選択されて形成される複数の選択ピクセルの中の１の選択ピクセルを順次１フレームずつ表示信号に応じて発光させる、
蛍光表示管の駆動方法。
【請求項５】
２のＫ乗で表わされる８以上の正整数Ｍ毎に区分され、その区分の中の並びの位置が同位置にあるアノードセグメントを列方向に連結してＭ個のアノード引出線を有して形成されるアノードセグメント行と、前記アノードセグメント行と直交する行方向に延びグリッド引出線を有して形成されるグリッド電極と、を有し、
複数個の前記アノードセグメント行と複数個の前記グリッド電極の列とをマトリック状に配置して、各々のグリッド電極と各々のアノードセグメント行の中のＭ／２個のアノードセグメントとを対向させて形成される、Ｍ重アノードマトリクス方式の蛍光表示管において、
隣接する第１のグリッド電極と第２のグリッド電極とをオンとすることによって発光可能とされるＭ個のアノードセグメントの中で、
前記第１のグリッド電極に最も近接した位置から順に配置され前記第２のグリッド電極に対向する（Ｍ／４）個のアノードセグメントと、前記第２のグリッド電極に最も近接した位置から順に配置され前記第１のグリッド電極に対向する（Ｍ／４）個のアノードセグメントと、が選択されて形成される選択ピクセルと、
前記第１のグリッド電極に最も近接した位置から順に配置され前記第２のグリッド電極に対向する（Ｍ／４−Ｊ）個のアノードセグメントと、前記第２のグリッド電極に最も近接した位置から順に配置され前記第１のグリッド電極に対向する（Ｍ／４＋Ｊ）個のアノードセグメントと、を有するように、Ｊの値を１から２(K-3)まで変化させて選択されて形成される１または複数の選択ピクセルと、
前記第１のグリッド電極に最も近接した位置から順に配置され前記第２のグリッド電極に対向する（Ｍ／４＋Ｊ）個のアノードセグメントと、前記第２のグリッド電極に最も近接した位置から順に配置され前記第１のグリッド電極に対向する（Ｍ／４−Ｊ）個のアノードセグメントと、を有するように、Ｊの値を１から２(K-3)まで変化させて選択されて形成される１または複数の選択ピクセルと、
の中の１の選択ピクセルを順次１フレームずつ表示信号に応じて発光させる駆動回路を具備する、
蛍光表示管。
【請求項６】
前記Ｍは８であり、前記Ｊは１であり、
各々のグリッド電極と各々のアノードセグメント行の中の４個のアノードセグメントとを対向させて形成される、８重アノードマトリクス方式の蛍光表示管において、
隣接する第１のグリッド電極と第２のグリッド電極とをオンとすることによって発光可能とされる８個のアノードセグメントの中で、
前記第１のグリッド電極に最も近接した位置から順に配置され前記第２のグリッド電極に対向する２個のアノードセグメントと、前記第２のグリッド電極に最も近接した位置から順に配置され前記第１のグリッド電極に対向する２個のアノードセグメントと、が選択されて形成される選択ピクセルと、
前記第１のグリッド電極に最も近接した位置から順に配置され前記第２のグリッド電極に対向する１個のアノードセグメントと、前記第２のグリッド電極に最も近接した位置から順に配置され前記第１のグリッド電極に対向する３個のアノードセグメントと、が選択されて形成される選択ピクセルと、
前記第１のグリッド電極に最も近接した位置から順に配置され前記第２のグリッド電極に対向する３個のアノードセグメントと、前記第２のグリッド電極に最も近接した位置から順に配置され前記第１のグリッド電極に対向する１個のアノードセグメントと、が選択されて形成される選択ピクセルと、
の中の１の選択ピクセルを順次１フレームずつ表示信号に応じて発光させる駆動回路を具備する、請求項５に記載の蛍光表示管。
【請求項７】
前記駆動回路は、該蛍光表示管の内部に配置されることを特徴とする、請求項５または請求項６に記載の蛍光表示管。
【請求項８】
２のＫ乗で表わされる８以上の正整数Ｍ毎に区分され、その区分の中の並びの位置が同位置にあるアノードセグメントを列方向に連結してＭ個のアノード引出線を有して形成されるアノードセグメント行と、前記アノードセグメント行と直交する行方向に延びグリッド引出線を有して形成されるグリッド電極と、を有し、
複数個の前記アノードセグメント行と複数個の前記グリッド電極の列とをマトリック状に配置して、各々のグリッド電極と各々のアノードセグメント行の中のＭ／２個のアノードセグメントとを対向させて形成される、Ｍ重アノードマトリクス方式の蛍光表示管を駆動する蛍光表示管の駆動回路において、
隣接する第１のグリッド電極と第２のグリッド電極とをオンとすることによって発光可能とされるＭ個のアノードセグメントの中で、
前記第１のグリッド電極に最も近接した位置から順に配置され前記第２のグリッド電極に対向する（Ｍ／４）個のアノードセグメントと、前記第２のグリッド電極に最も近接した位置から順に配置され前記第１のグリッド電極に対向する（Ｍ／４）個のアノードセグメントと、が選択されて形成される選択ピクセルと、
前記第１のグリッド電極に最も近接した位置から順に配置され前記第２のグリッド電極に対向する（Ｍ／４−Ｊ）個のアノードセグメントと、前記第２のグリッド電極に最も近接した位置から順に配置され前記第１のグリッド電極に対向する（Ｍ／４＋Ｊ）個のアノードセグメントと、を有するように、Ｊの値を１から２(K-3)まで変化させて選択されて形成される１または複数の選択ピクセルと、
前記第１のグリッド電極に最も近接した位置から順に配置され前記第２のグリッド電極に対向する（Ｍ／４＋Ｊ）個のアノードセグメントと、前記第２のグリッド電極に最も近接した位置から順に配置され前記第１のグリッド電極に対向する（Ｍ／４−Ｊ）個のアノードセグメントと、を有するように、Ｊの値を１から２(K-3)まで変化させて選択されて形成される１または複数の選択ピクセルと、
の中の１の選択ピクセルを順次１フレームずつ表示信号に応じて発光させる、
蛍光表示管の駆動回路。
【請求項９】
２のＫ乗で表わされる８以上の正整数Ｍ毎に区分され、その区分の中の並びの位置が同位置にあるアノードセグメントを列方向に連結してＭ個のアノード引出線を有して形成されるアノードセグメント行と、前記アノードセグメント行と直交する行方向に延びグリッド引出線を有して形成されるグリッド電極と、を有し、
複数個の前記アノードセグメント行と複数個の前記グリッド電極の列とをマトリック状に配置して、各々のグリッド電極と各々のアノードセグメント行の中のＭ／２個のアノードセグメントとを対向させて形成される、Ｍ重アノードマトリクス方式の蛍光表示管を駆動する蛍光表示管の駆動方法において、
隣接する第１のグリッド電極と第２のグリッド電極とをオンとすることによって発光可能とされるＭ個のアノードセグメントの中で、
前記第１のグリッド電極に最も近接した位置から順に配置され前記第２のグリッド電極に対向する（Ｍ／４）個のアノードセグメントと、前記第２のグリッド電極に最も近接した位置から順に配置され前記第１のグリッド電極に対向する（Ｍ／４）個のアノードセグメントと、が選択されて形成される選択ピクセルと、
前記第１のグリッド電極に最も近接した位置から順に配置され前記第２のグリッド電極に対向する（Ｍ／４−Ｊ）個のアノードセグメントと、前記第２のグリッド電極に最も近接した位置から順に配置され前記第１のグリッド電極に対向する（Ｍ／４＋Ｊ）個のアノードセグメントと、を有するように、Ｊの値を１から２(K-3)まで変化させて選択されて形成される１または複数の選択ピクセルと、
前記第１のグリッド電極に最も近接した位置から順に配置され前記第２のグリッド電極に対向する（Ｍ／４＋Ｊ）個のアノードセグメントと、前記第２のグリッド電極に最も近接した位置から順に配置され前記第１のグリッド電極に対向する（Ｍ／４−Ｊ）個のアノードセグメントと、を有するように、Ｊの値を１から２(K-3)まで変化させて選択されて形成される１または複数の選択ピクセルと、
の中の１の選択ピクセルを順次１フレームずつ表示信号に応じて発光させる、
蛍光表示管の駆動方法。
【発明の詳細な説明】
【技術分野】
【０００１】
本発明は、蛍光表示管、蛍光表示管の駆動回路、および蛍光表示管の駆動方法に関するものである。
【背景技術】
【０００２】
蛍光表示管に関する技術として、多重マトリクス駆動方式に適した蛍光表示管（ＶＦＤ）、および、このような蛍光表示管を駆動する多重マトリクス駆動方式、さらには、蛍光表示管の内部に駆動回路を内蔵するドライバ内蔵蛍光表示管（ＣＩＧＶＦＤ）が背景技術として知られている（特許文献１、特許文献２、非特許文献１）。背景技術の多重マトリクス駆動方式では、シングルマトリックス方式に比べてデューティファクタを向上させることができるとともに、表示品位（表示の品質）が、シングルマトリックス方式に比べてより良好なる表示を得ることができる。
【先行技術文献】
【特許文献】
【０００３】
【特許文献１】特開２０００−３０６５３２号公報
【特許文献２】特開２００３−２２８３３４号公報
【非特許文献】
【０００４】
【非特許文献１】岸野隆雄編著「蛍光表示管」産業図書株式会社、平成２年１０月３１日、p.１７０―１８３、および、p.２２６―２４８
【発明の概要】
【発明が解決しようとする課題】
【０００５】
背景技術に示す多重マトリクス駆動方式の技術によれば、シングルマトリックス方式に比べて表示品位がより良好なる表示を得ることができるものの、さらに良好なる表示品位に対する要望がある。本発明は、かかる課題を解決して、従来に比べてさらに良好なる表示品位を得ることができる技術を提供するものである。
【課題を解決するための手段】
【０００６】
本発明の蛍光表示管は、２のＫ乗で表わされる８以上の正整数Ｍ毎に区分され、その区分の中の並びの位置が同位置にあるアノードセグメントを列方向に連結してＭ個のアノード引出線を有して形成されるアノードセグメント行と、前記アノードセグメント行と直交する行方向に延びグリッド引出線を有して形成されるグリッド電極と、を有し、複数個の前記アノードセグメント行と複数個の前記グリッド電極の列とをマトリック状に配置して、各々のグリッド電極と各々のアノードセグメント行の中のＭ／２個のアノードセグメントとを対向させて形成される、Ｍ重アノードマトリクス方式の蛍光表示管において、隣接する第１のグリッド電極と第２のグリッド電極とをオンとすることによって発光可能とされるＭ個のアノードセグメントの中で、前記第１のグリッド電極に最も近接した位置から順に配置され前記第２のグリッド電極に対向する（Ｍ／４）個のアノードセグメントと、前記第２のグリッド電極に最も近接した位置から順に配置され前記第１のグリッド電極に対向する（Ｍ／４）個のアノードセグメントと、が選択されて形成される選択ピクセルと、前記第１のグリッド電極に最も近接した位置から順に配置され前記第２のグリッド電極に対向する（Ｍ／４−Ｊ）個のアノードセグメントと、前記第２のグリッド電極に最も近接した位置から順に配置され前記第１のグリッド電極に対向する（Ｍ／４＋Ｊ）個のアノードセグメントと、を有するように、Ｊの値を１から２(K-3)まで変化させて選択されて形成される１または複数の選択ピクセルと、前記第１のグリッド電極に最も近接した位置から順に配置され前記第２のグリッド電極に対向する（Ｍ／４＋Ｊ）個のアノードセグメントと、前記第２のグリッド電極に最も近接した位置から順に配置され前記第１のグリッド電極に対向する（Ｍ／４−Ｊ）個のアノードセグメントと、を有するように、Ｊの値を１から２(K-3)まで変化させて選択されて形成される１または複数の選択ピクセルと、の中の１の選択ピクセルを順次１フレームずつ表示信号に応じて発光させる駆動回路を具備する。
【０００７】
本発明の蛍光表示管の駆動回路は、２のＫ乗で表わされる８以上の正整数Ｍ毎に区分され、その区分の中の並びの位置が同位置にあるアノードセグメントを列方向に連結してＭ個のアノード引出線を有して形成されるアノードセグメント行と、前記アノードセグメント行と直交する行方向に延びグリッド引出線を有して形成されるグリッド電極と、を有し、複数個の前記アノードセグメント行と複数個の前記グリッド電極の列とをマトリック状に配置して、各々のグリッド電極と各々のアノードセグメント行の中のＭ／２個のアノードセグメントとを対向させて形成される、Ｍ重アノードマトリクス方式の蛍光表示管を駆動する蛍光表示管の駆動回路において、隣接する第１のグリッド電極と第２のグリッド電極とをオンとすることによって発光可能とされるＭ個のアノードセグメントの中で、前記第１のグリッド電極に最も近接した位置から順に配置され前記第２のグリッド電極に対向する（Ｍ／４）個のアノードセグメントと、前記第２のグリッド電極に最も近接した位置から順に配置され前記第１のグリッド電極に対向する（Ｍ／４）個のアノードセグメントと、が選択されて形成される選択ピクセルと、前記第１のグリッド電極に最も近接した位置から順に配置され前記第２のグリッド電極に対向する（Ｍ／４−Ｊ）個のアノードセグメントと、前記第２のグリッド電極に最も近接した位置から順に配置され前記第１のグリッド電極に対向する（Ｍ／４＋Ｊ）個のアノードセグメントと、を有するように、Ｊの値を１から２(K-3)まで変化させて選択されて形成される１または複数の選択ピクセルと、前記第１のグリッド電極に最も近接した位置から順に配置され前記第２のグリッド電極に対向する（Ｍ／４＋Ｊ）個のアノードセグメントと、前記第２のグリッド電極に最も近接した位置から順に配置され前記第１のグリッド電極に対向する（Ｍ／４−Ｊ）個のアノードセグメントと、を有するように、Ｊの値を１から２(K-3)まで変化させて選択されて形成される１または複数の選択ピクセルと、の中の１の選択ピクセルを順次１フレームずつ表示信号に応じて発光させる。
【０００８】
本発明の蛍光表示管の駆動方法は、２のＫ乗で表わされる８以上の正整数Ｍ毎に区分され、その区分の中の並びの位置が同位置にあるアノードセグメントを列方向に連結してＭ個のアノード引出線を有して形成されるアノードセグメント行と、前記アノードセグメント行と直交する行方向に延びグリッド引出線を有して形成されるグリッド電極と、を有し、複数個の前記アノードセグメント行と複数個の前記グリッド電極の列とをマトリック状に配置して、各々のグリッド電極と各々のアノードセグメント行の中のＭ／２個のアノードセグメントとを対向させて形成される、Ｍ重アノードマトリクス方式の蛍光表示管を駆動する蛍光表示管の駆動方法において、隣接する第１のグリッド電極と第２のグリッド電極とをオンとすることによって発光可能とされるＭ個のアノードセグメントの中で、前記第１のグリッド電極に最も近接した位置から順に配置され前記第２のグリッド電極に対向する（Ｍ／４）個のアノードセグメントと、前記第２のグリッド電極に最も近接した位置から順に配置され前記第１のグリッド電極に対向する（Ｍ／４）個のアノードセグメントと、が選択されて形成される選択ピクセルと、前記第１のグリッド電極に最も近接した位置から順に配置され前記第２のグリッド電極に対向する（Ｍ／４−Ｊ）個のアノードセグメントと、前記第２のグリッド電極に最も近接した位置から順に配置され前記第１のグリッド電極に対向する（Ｍ／４＋Ｊ）個のアノードセグメントと、を有するように、Ｊの値を１から２(K-3)まで変化させて選択されて形成される１または複数の選択ピクセルと、前記第１のグリッド電極に最も近接した位置から順に配置され前記第２のグリッド電極に対向する（Ｍ／４＋Ｊ）個のアノードセグメントと、前記第２のグリッド電極に最も近接した位置から順に配置され前記第１のグリッド電極に対向する（Ｍ／４−Ｊ）個のアノードセグメントと、を有するように、Ｊの値を１から２(K-3)まで変化させて選択されて形成される１または複数の選択ピクセルと、の中の１の選択ピクセルを順次１フレームずつ表示信号に応じて発光させる。
【０００９】
本発明の別の蛍光表示管は、８以上の偶数の正整数Ｑ毎に区分され、その区分の中の並びの位置が同位置にあるアノードセグメントを列方向に連結してＱ個のアノード引出線を有して形成されるアノードセグメント行と、前記アノードセグメント行と直交する行方向に延びグリッド引出線を有して形成されるグリッド電極と、を有し、複数個の前記アノードセグメント行と複数個の前記グリッド電極の列とをマトリック状に配置して、各々のグリッド電極と各々のアノードセグメント行の中のＱ／２個のアノードセグメントとを対向させて形成される、Ｑ重アノードマトリクス方式の蛍光表示管において、隣接する第１のグリッド電極と第２のグリッド電極とをオンとすることによって発光可能とされるＱ個のアノードセグメントの中で、前記第１のグリッド電極に最も近接した位置から順に配置され前記第２のグリッド電極に対向する１個ないし（Ｑ／２−１）個の範囲中のいずれかの個数であるＲ個のアノードセグメントと、前記第２のグリッド電極に最も近接した位置から順に配置され前記第１のグリッド電極に対向する（Ｑ／２−Ｒ）個のアノードセグメントとの、合計してＱ／２個のアノードセグメントが選択されて形成される複数の選択ピクセルの中の１の選択ピクセルを順次１フレームずつ表示信号に応じて発光させる駆動回路を具備する。
【００１０】
本発明の別の蛍光表示管の駆動回路は、８以上の偶数の正整数Ｑ毎に区分され、その区分の中の並びの位置が同位置にあるアノードセグメントを列方向に連結してＱ個のアノード引出線を有して形成されるアノードセグメント行と、前記アノードセグメント行と直交する行方向に延びグリッド引出線を有して形成されるグリッド電極と、を有し、複数個の前記アノードセグメント行と複数個の前記グリッド電極の列とをマトリック状に配置して、各々のグリッド電極と各々のアノードセグメント行の中のＱ／２個のアノードセグメントとを対向させて形成される、Ｑ重アノードマトリクス方式の蛍光表示管において、隣接する第１のグリッド電極と第２のグリッド電極とをオンとすることによって発光可能とされるＱ個のアノードセグメントの中で、前記第１のグリッド電極に最も近接した位置から順に配置され前記第２のグリッド電極に対向する１個ないし（Ｑ／２−１）個の範囲中のいずれかの個数であるＲ個のアノードセグメントと、前記第２のグリッド電極に最も近接した位置から順に配置され前記第１のグリッド電極に対向する（Ｑ／２−Ｒ）個のアノードセグメントとの、合計してＱ／２個のアノードセグメントが選択されて形成される複数の選択ピクセルの中の１の選択ピクセルを順次１フレームずつ表示信号に応じて発光させる。
【００１１】
本発明の別の蛍光表示管の駆動方法は、８以上の偶数の正整数Ｑ毎に区分され、その区分の中の並びの位置が同位置にあるアノードセグメントを列方向に連結してＱ個のアノード引出線を有して形成されるアノードセグメント行と、前記アノードセグメント行と直交する行方向に延びグリッド引出線を有して形成されるグリッド電極と、を有し、複数個の前記アノードセグメント行と複数個の前記グリッド電極の列とをマトリック状に配置して、各々のグリッド電極と各々のアノードセグメント行の中のＱ／２個のアノードセグメントとを対向させて形成される、Ｑ重アノードマトリクス方式の蛍光表示管を駆動する蛍光表示管の駆動方法において、隣接する第１のグリッド電極と第２のグリッド電極とをオンとすることによって発光可能とされるＱ個のアノードセグメントの中で、前記第１のグリッド電極に最も近接した位置から順に配置され前記第２のグリッド電極に対向する１個ないし（Ｑ／２−１）個の範囲中のいずれかの個数であるＲ個のアノードセグメントと、前記第２のグリッド電極に最も近接した位置から順に配置され前記第１のグリッド電極に対向する（Ｑ／２−Ｒ）個のアノードセグメントとの、合計してＱ／２個のアノードセグメントが選択されて形成される複数の選択ピクセルの中の１の選択ピクセルを順次１フレームずつ表示信号に応じて発光させる。
【発明の効果】
【００１２】
本発明の蛍光表示管の技術によれば、２つのグリッド電極に対向する複数の選択ピクセルの中から１つの選択ピクセルを順次選択して、１フレームの間、表示信号に応じて発光させるので、選択ピクセルの両端に生じる暗線ムラの発生を低減して、表示品位を向上させることができる。
【図面の簡単な説明】
【００１３】
【図１】実施形態の８重アノードマトリクス方式の蛍光表示管（ＶＦＤ）の表示面側から見た電極構造の概念図である。
【図２】アノードセグメントからの引出線の部分を示す図１の部分拡大図である。
【図３】実施形態の８重アノードマトリクス方式の蛍光表示管の表示面と直交する断面側から見た電極構造の概念図である。
【図４】図１に示す蛍光表示管の表示の態様を説明する図である。
【図５】アノードセグメントの輝度の差（表示ムラまたは暗線ムラ）の発生する部分である表示ムラ発生部を模式的に示す図である。
【図６】表示ムラが生じる原因を模式的に示す図である。
【図７】実施形態の駆動方法を模式的に示す図である。
【図８】実施形態の駆動方法を模式的に示す図である。
【図９】実施形態の蛍光表示管を駆動する実施形態の駆動回路のブロック図である。
【図１０】第１のフレームにおけるタイミングチャートである。
【図１１】第２のフレームにおけるタイミングチャートである。
【図１２】第３のフレームにおけるタイミングチャートである。
【図１３】１６重アノードマトリクス方式における実施形態を示す概念図である。
【図１４】蛍光表示管の内部に駆動回路を内蔵するドライバ内蔵蛍光表示管（ＣＩＧＶＦＤ）の斜視断面図である。
【図１５】１２重アノードマトリクス方式における実施形態を示す概念図である。
【発明を実施するための形態】
【００１４】
発明を実施するための形態に係る技術は、２のＫ乗で表わされる８以上の正整数Ｍ毎に区分され、その区分の中の並びの位置が同位置にあるアノードセグメントを列方向に連結してＭ個のアノード引出線を有して形成されるアノードセグメント行と、アノードセグメント行と直交する行方向に延びグリッド引出線を有して形成されるグリッド電極と、を有し、複数個のアノードセグメント行と複数個のグリッド電極の列とをマトリック状に配置して、各々のグリッド電極と各々のアノードセグメント行の中のＭ／２個のアノードセグメントとを対向させて形成される、Ｍ重アノードマトリクス方式について、蛍光表示管、蛍光表示管の駆動回路、および蛍光表示管の駆動方法に関するものである。
【００１５】
隣接する第１のグリッド電極と第２のグリッド電極とをオンとすることによって発光可能とされるＭ個のアノードセグメントの中で、第１のグリッド電極に最も近接した位置から順に配置され第２のグリッド電極に対向する（Ｍ／４）個のアノードセグメントと第２のグリッド電極に最も近接した位置から順に配置され第１のグリッド電極に対向する（Ｍ／４）個のアノードセグメントとが選択されて形成される選択ピクセルと、第１のグリッド電極に最も近接した位置から順に配置され第２のグリッド電極に対向する（Ｍ／４−Ｊ）個のアノードセグメントと、第２のグリッド電極に最も近接した位置から順に配置され第１のグリッド電極に対向する（Ｍ／４＋Ｊ）個のアノードセグメントと、を有するように、Ｊの値を１から２(K-3)まで変化させて選択されて形成される１または複数の選択ピクセルと、第１のグリッド電極に最も近接した位置から順に配置され第２のグリッド電極に対向する（Ｍ／４＋Ｊ）個のアノードセグメントと、第２のグリッド電極に最も近接した位置から順に配置され第１のグリッド電極に対向する（Ｍ／４−Ｊ）個のアノードセグメントと、を有するように、Ｊの値を１から２(K-3)まで変化させて選択されて形成される１または複数の選択ピクセルと、の中の１の選択ピクセルを順次１フレームずつ表示信号に応じて発光させることを特徴とする。
【００１６】
実施形態の、８重アノードマトリクス方式の蛍光表示管、その蛍光表示管の駆動回路、およびその蛍光表示管の駆動方法について以下の図１〜図１２、図１４を参照して説明をする。
【００１７】
図１は、実施形態の８重アノードマトリクス方式の蛍光表示管（ＶＦＤ）の表示面側から見た電極構造の概念図である。図１の紙面の横列（横方向に並んだ列）を列と称し、図１の紙面の縦列（縦方向に並んだ列）を行と称する。グリッド電極Ｇ1は、１行目の「アノードセグメントＡ、アノードセグメントＢ、アノードセグメントＣ、アノードセグメントＤ」、２行目の「アノードセグメントＡ、アノードセグメントＢ、アノードセグメントＣ、アノードセグメントＤ」、・・・・ｍ−１行目の「アノードセグメントＡ、アノードセグメントＢ、アノードセグメントＣ、アノードセグメントＤ」、ｍ行目の「アノードセグメントＡ、アノードセグメントＢ、アノードセグメントＣ、アノードセグメントＤ」、と対向するように、図１の紙面横方向に延在して形成される。グリッド電極Ｇ2は、１行目の「アノードセグメントＥ、アノードセグメントＦ、アノードセグメントＧ、アノードセグメントＨ」、２行目の「アノードセグメントＥ、アノードセグメントＦ、アノードセグメントＧ、アノードセグメントＨ」、・・・・ｍ−１行目の「アノードセグメントＥ、アノードセグメントＦ、アノードセグメントＧ、アノードセグメントＨ」、ｍ行目の「アノードセグメントＥ、アノードセグメントＦ、アノードセグメントＧ、アノードセグメントＨ」、と対向するように、図１の紙面横方向に延在して形成される。同様にして、グリッド電極Ｇ3（図１には図示せず）・・・・グリッド電極Ｇn-1、グリッド電極Ｇnの各々が、図１の紙面横方向に延在して形成される。グリッド電極Ｇ1〜グリッド電極Ｇnの各々が、延在する方向を行方向と称し、グリッド電極Ｇ1〜グリッド電極Ｇnの各々が延在する行方向と直交する方向を列方向と称する。行方向に延在する各々のグリッド電極は、列方向に、グリッド電極Ｇ1、グリッド電極Ｇ2、・・・グリッド電極Ｇn-1、グリッド電極Ｇn、と順番に配列されている。
【００１８】
図１の例では、ｍ行のアノードセグメント行とｎ列のグリッド電極の列とをマトリック状に配置して、各々のグリッド電極と各々のアノードセグメント行の中の４個のアノードセグメントとを対向させて形成される。なお、１のアノードセグメント行は、４×ｎ個のアノードセグメントを有して形成されている。
グリッド電極Ｇ1にグリッド引出線ＤＧ1が接続されている。同様に、グリッド電極Ｇ2にグリッド引出線ＤＧ2が接続されており、・・・グリッド電極Ｇn-1にグリッド引出線ＤＧn-1が接続されており、グリッド電極Ｇnにグリッド引出線ＤＧnが接続されている。このようにして、ｎ個のグリッド電極の各々からｎ本のグリッド電極引出線が引出されている。
【００１９】
複数列のグリッド電極の各々に対向して、アノードセグメントＡ（図１の四角内にＡを付したアノードセグメント）〜アノードセグメントＨ（図１の四角内にＨを付したアノードセグメント）の８個のアノードセグメントが、列方向に繰り返して順番に配置されている。
【００２０】
グリッド電極の各々に対向して配置された、同じ行に位置する同じ符号を有するアノードセグメントは相互に接続されている。例えば、グリッド電極Ｇ1に対向する１行目のアノードセグメントＡ、グリッド電極Ｇ3に対向する１行目のアノードセグメントＡ（図１には図示せず）、・・・グリッド電極Ｇn-1に対向する１行目のアノードセグメントＡは、相互に接続されている。同様にして、アノードセグメントＢ〜アノードセグメントＨについても同じ符号のアノードセグメントが相互に接続されている。すなわち、アノードセグメントは、図１の紙面の縦方向に８個毎に区分され、その区分の中の並びの位置が同位置にあるアノードセグメントを連結して８個のアノード引出線を有して形成されるアノードセグメント行を形成している。
【００２１】
このようにして、１行目からｍ行目の各行について、相互に接続された複数個のアノードセグメントＡと、相互に接続された複数個のアノードセグメントＢと、相互に接続された複数個のアノードセグメントＣと、相互に接続された複数個のアノードセグメントＤと、相互に接続された複数個のアノードセグメントＥと、相互に接続された複数個のアノードセグメントＦと、相互に接続された複数個のアノードセグメントＧと、相互に接続された複数個のアノードセグメントＨと、を有する蛍光表示管は、８重アノードマトリクス方式の蛍光表示管と称される。一般的には、一列に配置されたアノードセグメントをＭ（整数）毎に区分して、その区分の中の並びの位置が同位置にあるアノードセグメントを連結して駆動する蛍光表示管をＭ重アノードマトリクス方式の蛍光表示管と称する。
【００２２】
図２は、アノードセグメントからの引出線の部分を示す図１の部分拡大図である。アノード引出線ＤＡ1は１行目のアノードセグメントの引出線である。アノード引出線ＤＡ2は２行目のアノードセグメントの引出線である。アノード引出線ＤＡmはｍ行目のアノードセグメントの引出線である。アノード引出線ＤＡ1は、１行目の（１行目に配列される）アノードセグメントＡからのアノード引出線ＤＡ1A、１行目のアノードセグメントＢからのアノード引出線ＤＡ1B、１行目のアノードセグメントＣからのアノード引出線ＤＡ1C、１行目のアノードセグメントＤからのアノード引出線ＤＡ1D、１行目のアノードセグメントＥからのアノード引出線ＤＡ1E、１行目のアノードセグメントＦからのアノード引出線ＤＡ1F、１行目のアノードセグメントＧからのアノード引出線ＤＡ1G、１行目のアノードセグメントＨからのアノード引出線ＤＡ1Hを有している。同様に、アノード引出線ＤＡ2は、２行目の（２行目に配列される）アノードセグメントからのアノード引出線ＤＡ2A〜アノード引出線ＤＡ2Hを有し、アノード引出線ＤＡmは、ｍ行目の（ｍ行目に配列される）アノードセグメントからのアノード引出線ＤＡmA〜アノード引出線ＤＡmHを有している。１行目からｍ行目までのすべてのアノードセグメントについてこのように接続して、８×ｍ本のアノード引出線が引出されている。
【００２３】
図３は、８重アノードマトリクス方式の蛍光表示管の表示面と直交する断面側から見た電極構造の概念図である。図３からアノードセグメントＡ〜アノードセグメントＨとグリッド電極とカソードとの配置関係が見て取れる。グリッド電極は、金属メッシュ状の形態をしており、カソードで発生した電子がグリッド電極を透過するか否かを制御する。正の電圧をグリッド電極に印加して電子がグリッドを透過するようにするためにグリッド引出線に正の電圧を与える場合をオン（ＯＮ）と称し、正の電圧をグリッド電極に印加せず電子がグリッド電極を透過しないようするためにグリッド引出線に正の電圧を与えない場合をオフ（ＯＦＦ）と称する。
【００２４】
アノードセグメントＡ〜アノードセグメントＨには蛍光体が塗布されており、電子の衝突によって発光をする。ここで、電子を透過させるに十分なカソードに対する正の電圧がグリッド電極に印加されている場合であって、かつ、このグリッド電極に対向するアノードセグメントに電子を加速させるに十分なカソードに対する正の電圧が印加されている場合にのみ、該当するアノードセグメントは発光する。つまり、蛍光表示管の表示面から見て、図１の紙面の横方向（行方向）に延在して形成されるグリッド電極の中で正の電圧が印加された（ＯＮとされた）グリッド電極に対向するアノードセグメントは発光可能とされる。しかしながら、発光可能とされる８個のアノードセグメントの中で、実際に発光するアノードセグメントは、正の電圧が印加されたアノードセグメントのみである。
【００２５】
図４は、図１に示す蛍光表示管の表示の態様を説明する図である。蛍光表示管の表示に際しては、隣接する２個のグリッド電極を同時に選択して、この２個のグリッド電極に正の電圧を印加する。例えば、図４（ａ）はグリッド電極Ｇ1とグリッド電極Ｇ2とに電子が透過できるような正の電圧を印加する場合を示す。図４（ｂ）はグリッド電極Ｇ2とグリッド電極Ｇ3とに電子が透過できるような正の電圧を印加する場合を示す。図４（ｃ）はグリッド電極Ｇ3とグリッド電極Ｇ4とに電子が透過できるような正の電圧を印加する場合を示す。
【００２６】
実施形態における基本の発光の態様は、隣接する２つのグリッド電極に正の電圧を印加してこの２つのグリッド電極に対向する８つのアノードセグメントの中でも、隣接する他のグリッド電極に最も接近した位置から順に配置される２つのグリッド電極の各々に対向する２×２個（合計４個）のアノードセグメントの部分、すなわち、アノードセグメントとカソードとの空間の電界強度が最も均一となる部分、のみを発光させるようにしている。
【００２７】
図４を参照して、以下に具体的な例を挙げて発光の態様を説明する。例えば、発光部を右から左に移動させる一例で説明をする。この移動の速度は、後述する１フレームの走査時間に比べて遅いのが一般的である。
【００２８】
グリッド電極Ｇ1とグリッド電極Ｇ2とに正の電圧を印加して、アノードセグメントＣ、アノードセグメントＤ、アノードセグメントＥ、アノードセグメントＦの各々に接続されたアノード引出線に対して該アノードセグメントが発光するような正の電圧を印加する（図４（ａ）を参照）。グリッド電極Ｇ2とグリッド電極Ｇ3とに正の電圧を印加して、アノードセグメントＧ、アノードセグメントＨ、アノードセグメントＡ、アノードセグメントＢの各々に接続されたアノード引出線に対して該アノードセグメントが発光するような正の電圧を印加する（図４（ｂ）を参照）。グリッド電極Ｇ3とグリッド電極Ｇ4とに正の電圧を印加して、アノードセグメントＣ、アノードセグメントＤ、アノードセグメントＥ、アノードセグメントＦの各々に接続されたアノード引出線に対して該アノードセグメントが発光するような正の電圧を印加する（図４（ｃ）を参照）。この結果として、図４において、ハッチングを施したアノードセグメントが、図４（ａ）、図４（ｂ）、図４（ｃ）に示すように順次発光し、発光する部分が移動するように視認されることになる。実施形態では、グリッド電極の走査の速度は速く、列方向の発光の移動の視認は困難である。図４（ａ）、図４（ｂ）、図４（ｃ）は、実施形態では、異なるフレームにおける表示態様を示すものである。
【００２９】
以下の説明において、正の電圧をアノードセグメントに与えることをオン（ＯＮ）と称し、正の電圧をアノードセグメントに与えないことをオフ（ＯＦＦ）と称する。
【００３０】
上述したように、グリッド電極の制御においては、列方向に順次隣接する２個のグリッド電極がＯＮとなるように選択され、例えば、右端に位置するグリッド電極Ｇ1およびグリッド電極Ｇ2が選択され、選択される電極の位置が順次、左側に移動し、最後は、グリッド電極Ｇn-1およびグリッド電極Ｇnが選択される。この一連の処理を１フレームの処理と称する。なお、上述した例では表示が移動する場合について説明をしたが、移動しない表示をする場合においても、２つのグリッド電極を順次選択する１フレームの処理は、アノードセグメントをどのように処理するかにはかかわりなく常時おこなわれる。
【００３１】
上述したように、実施形態では、２つのグリッド電極をＯＮとして、そのグリッドに対向するアノードセグメントの中の連続した特定のアノードセグメントだけを発光させる。一斉に発光するこの連続した領域をピクセルと称する。つまり、アノードセグメントの発光は、ピクセルを単位としておこなわれる。そして、２つのグリッド電極に対応するピクセルの種類が複数の種類ある場合にその複数種類から選択される１のピクセルを選択ピクセルと称する。
【００３２】
実施形態の８重アノードマトリクス方式の蛍光表示管では、８つのアノードセグメントの中から、選択された４つのアノードセグメント（この４つのアノードセグメントは、図４に示すように密接した位置にある）が１ピクセルを形成し、どの位置にある４つのアノードセグメントを選択するかによってピクセルが異なる。この４つのアノードセグメントの位置の組み合わせが異なるピクセルの中で選択される１のピクセルが、上述した選択ピクセルである。詳細は後述するが、実施形態の多重アノードマトリクス方式の蛍光表示管では、表示信号（図９を参照）に応じて選択ピクセルを特定するとともに、表示信号が指定する表示内容に従い選択ピクセルのＯＮとＯＦＦとを制御し、表示信号に含まれる同期信号に応じて順次２つのグリッド電極をＯＮとして１フレームの表示をおこなっている。
【００３３】
図４を参照して、具体的に８重アノードマトリクス方式の蛍光表示管のピクセルについて説明をする。２つの隣接するグリッド電極を同時にＯＮとして、対向する８つのアノードセグメントの中で、連続した４つのアノードセグメントで１ピクセルを構成する場合のピクセルとしては、以下の８種類の組み合わせが存在する。「アノードセグメントＡ、アノードセグメントＢ、アノードセグメントＣ、アノードセグメントＤ」からなるピクセル。「アノードセグメントＢ、アノードセグメントＣ、アノードセグメントＤ、アノードセグメントＥ」からなるピクセル。「アノードセグメントＣ、アノードセグメントＤ、アノードセグメントＥ、アノードセグメントＦ」からなるピクセル。「アノードセグメントＤ、アノードセグメントＥ、アノードセグメントＦ、アノードセグメントＧ」からなるピクセル。「アノードセグメントＥ、アノードセグメントＦ、アノードセグメントＧ、アノードセグメントＨ」からなるピクセル。「アノードセグメントＦ、アノードセグメントＧ、アノードセグメントＨ、アノードセグメントＡ」からなるピクセル。「アノードセグメントＧ、アノードセグメントＨ、アノードセグメントＡ、アノードセグメントＢ」からなるピクセル。「アノードセグメントＨ、アノードセグメントＡ、アノードセグメントＢ、アノードセグメントＣ」からなるピクセル。また、少なくとも１個のアノードセグメントが各々のグリッド電極に対向するようにした連続した４つのアノードセグメントで１ピクセルを構成する場合のピクセルとしては、「アノードセグメントＡ、アノードセグメントＢ、アノードセグメントＣ、アノードセグメントＤ」および「アノードセグメントＥ、アノードセグメントＦ、アノードセグメントＧ、アノードセグメントＨ」からなるピクセルが除かれ６種類の組み合わせが存在する。
【００３４】
図４を参照して、具体的に８重アノードマトリクス方式の蛍光表示管の選択ピクセルの一例について説明をする。図４（ａ）では、アノードセグメントＣ、アノードセグメントＤ、アノードセグメントＥ、アノードセグメントＦが選択ピクセルを構成している。図４（ｂ）では、アノードセグメントＧ、アノードセグメントＨ、アノードセグメントＡ、アノードセグメントＢが選択ピクセルを構成している。図４（Ｃ）では、アノードセグメントＣ、アノードセグメントＤ、アノードセグメントＥ、アノードセグメントＦが選択ピクセルを構成している。図４に示す例では、同時に正の電圧を加えＯＮとした隣接する２個のグリッド電極に対向する８つアノードセグメントの中で、他のグリッド電極により近い４個のアノードセグメントを選択ピクセルとして選び、この選択ピクセルを発光させることによって、表示の輝度を均一とするようにしている。
【００３５】
アノードセグメントの制御に際しては、グリッド電極の選択に同期して行毎にその行に属するすべてのアノードセグメントに対して同時に制御がおこなわれる。アノードセグメントを発光させるか否かについては各行のアノード引出線をＯＮとするかＯＦＦとするかによって制御される。つまり、ＯＮとされたアノード引出線に接続されるアノードセグメントが選択ピクセルを構成し、ＯＦＦとされたアノード引出線に接続されるアノードセグメントは選択ピクセルを構成しない。上述したように、選択ピクセルの制御は行単位で行われる。このような制御をするための駆動回路の詳細については後述する。
【００３６】
図４に示す構成を参照して、選択ピクセルを構成するアノードセグメントをどのように選ぶのが好ましいかについて詳細に説明をする。まず、選択ピクセルに含まれる各アノードセグメント間における輝度の差について説明をする。例えば、グリッド電極Ｇ1とグリッド電極Ｇ2とをＯＮとし、グリッド電極Ｇ3をＯＦＦとする場合において、選択ピクセルにアノードセグメントＧとアノードセグメントＦを含ませて発光させた場合（図４には、この発光状態については図示せず）のアノードセグメントＧの輝度は、アノードセグメントＦの輝度よりも低くなる。また、グリッド電極Ｇ1とグリッド電極Ｇ2とをＯＮとし、グリッド電極Ｇ3をＯＦＦとする場合において、アノードセグメントＨとアノードセグメントＧとを選択ピクセルに含ませて発光させた場合（図４には、この発光状態については図示せず）のアノードセグメントＨの輝度は、アノードセグメントＧの輝度よりも低くなる。このような輝度の違いが生じる理由は、ＯＦＦとされたグリッド電極Ｇ3の影響が、グリッド電極Ｇ3により近い、アノードセグメントＨ、アノードセグメントＧ、アノードセグメントＦの順でより強く及ぶからである。
【００３７】
さらに、グリッド電極Ｇ1とグリッド電極Ｇ2とをＯＮとし、グリッド電極Ｇ3をＯＦＦとする場合において、アノードセグメントＣ、アノードセグメントＤ、アノードセグメントＥ、アノードセグメントＦを選択ピクセルとして発光させた場合（図４（ａ）を参照）、アノードセグメントＦの輝度は、アノードセグメントＥの輝度よりも低くなるのみならず、アノードセグメントＦの内部においても輝度の差が生じることを本願願書に記載の発明者らは観測した。同様に、アノードセグメントＣの輝度は、アノードセグメントＤの輝度よりも低くなるのみならず、アノードセグメントＣの内部において輝度の差が生じることも同様に観測した。
【００３８】
図５は、アノードセグメントＣの内部における輝度の差（表示ムラまたは暗線ムラ）の発生する部分、アノードセグメントＦの内部における輝度の差（表示ムラまたは暗線ムラ）の発生する部分である表示ムラ発生部を模式的に示す図である。このような表示ムラは、選択ピクセル（図４（ａ）では、アノードセグメントＣ、アノードセグメントＤ、アノードセグメントＥ、アノードセグメントＦで構成される）の両端ラインで生じる。ここで、選択ピクセルの両端に隣接するアノードセグメントはＯＦＦとされている。つまり、このような輝度の違いが生じる理由は、選択ピクセルの一方端に隣接するＯＦＦとされたアノードセグメントＧの影響がアノードセグメントＦに及び、選択ピクセルの他方端に隣接するＯＦＦとされたアノードセグメントＢの影響がアノードセグメントＣに及ぶからである。
【００３９】
このような表示ムラが生じる結果として、行方向に暗線（輝度が一段階低下した発光部によって形成される線）が生じて表示品位が劣化してしまう。この行方向の暗線の長さは、表示される表示の内容（画像）に応じて異なるが、行方向に明暗の境目が長く伸びる表示においては、明暗の境目付近の明部分に望まない縦ライン状の長い暗線が視認できるようになってしまい、表示品位の劣化が顕著なものとなる。
【００４０】
図６は、表示ムラが生じる原因を模式的に示す図である。電子は、ＯＮとされたアノードセグメントによって加速される。等電位面がアノードセグメントの配置される面と平行であるならば電子はＯＮとされたアノードセグメントに垂直に衝突し、アノードセグメントＣ、アノードセグメントＤ、アノードセグメントＥ、アノードセグメントＦにおける発光輝度は同一輝度となる。しかしながら、アノードセグメントＢとアノードセグメントＧとがＯＦＦとされるために選択ピクセルの両端ライン付近では、等電位面がアノードセグメントの配置される面と平行とはならない。選択ピクセルの両端ライン付近のアノードセグメントＣとアノードセグメントＦでは電子は選択ピクセルの内部方向に曲げられる（図６の角度αを参照）。この現象を電子ケラレと称する。
【００４１】
電子ケラレによってアノードセグメントＦのアノードセグメントＧに近い端付近では、電子が、ＯＦＦとされたアノードセグメントＧによって曲げられて、暗線ムラが生じてしまう。また、電子ケラレによってアノードセグメントＣのアノードセグメントＢに近い端付近では、電子が、ＯＦＦとされたアノードセグメントＢによって曲げられて、暗線ムラが生じてしまう。
【００４２】
図７、図８は、実施形態の駆動方法を模式的に示す図である。図７では、グリッド電極ＤＧ1が第１のグリッド電極、グリッド電極ＤＧ2が第２のグリッド電極としてＯＮとされている。図８では、ＯＮとされるグリッド電極の位置が移動して、グリッド電極ＤＧ2が第１のグリッド電極、グリッド電極ＤＧ3が第２のグリッド電極としてＯＮとされている。実施形態では１フレーム毎に発光する選択ピクセルのグリッド電極に対する相対位置を異ならせて暗線ムラが生じるのを防止している。図７（ａ）、図８（ａ）は第１番目のフレームにおける表示の態様を示し、図７（ｂ）、図８（ｂ）は第２番目のフレームにおける表示の態様を示し、図７（ｃ）、図８（ｃ）は第３番目のフレームにおける表示の態様を示す。つまり、第１番目のフレームにおける表示の態様〜第３番目のフレームにおける表示の態様が、繰り返し表示され、３フレームで１セットとして蛍光表示管に表示される。ここで、１フレームとは、蛍光表示管の全面に渡る１表示をいう。
【００４３】
グリッド電極ＤＧ1、グリッド電極ＤＧ2がＯＮとされている場合について説明をする。図７（ａ）に示すように、第１番目のフレームについては、選択ピクセルは、アノードセグメントＣ、アノードセグメントＤ、アノードセグメントＥ、アノードセグメントＦで構成される。そして、選択ピクセルを発光させる場合には、これらのアノードセグメントに正の電圧を印加してＯＮとし、これらのピクセルを発光させない場合には、これらのアノードセグメントに正の電圧を印加しないようにしてＯＦＦとする。このＯＮとＯＦＦの制御は外部からの表示信号（図９を参照）の内容に応じたものである。図７（ｂ）に示すように、第２番目のフレームについては、選択ピクセルは、アノードセグメントＢ、アノードセグメントＣ、アノードセグメントＤ、アノードセグメントＥで構成される。図７（ｃ）に示すように、第３番目のフレームについては、選択ピクセルは、アノードセグメントＤ、アノードセグメントＥ、アノードセグメントＦ、アノードセグメントＧで構成される。
【００４４】
グリッド電極ＤＧ2、グリッド電極ＤＧ3がＯＮとされている場合について説明をする。図８（ａ）に示すように、第１番目のフレームについては、選択ピクセルは、アノードセグメントＧ、アノードセグメントＨ、アノードセグメントＡ、アノードセグメントＢで構成される。図８（ｂ）に示すように、第２番目のフレームについては、選択ピクセルは、アノードセグメントＦ、アノードセグメントＧ、アノードセグメントＨ、アノードセグメントＡで構成される。図８（ｃ）に示すように、第３番目のフレームについては、選択ピクセルは、アノードセグメントＨ、アノードセグメントＡ、アノードセグメントＢ、アノードセグメントＣで構成される。
【００４５】
このようにして、フレーム毎に、発光するアノードセグメントの配置をずらすことによって暗線ムラの発生を防止することができる。なお、表示内容の変化する速度に比べて、１セット（３フレーム）の時間は短く、かつ、１セットの時間は、目に像が残る残像時間よりも短くされるので、１フレーム毎には行方向に１列になる暗線ムラが生じたとしても、１フレーム毎に暗線ムラの位置は異なるのであるから、残像によって１列になるように暗線ムラが視認されることはない。
【００４６】
図９は、上述した実施形態の蛍光表示管を駆動する実施形態の駆動回路のブロック図である。駆動回路１０は、外部インターフェイス１１、ラム（ＲＡＭ）１２、カウンタ１３、フレームカウンタ１４、タイミングジェネレータ１５を有して形成されている。駆動回路１０の破線で囲んだ領域は、暗線ムラの発生を防止するための構成部である。暗線ムラの発生を防止するための構成部は、フレームカウンタ１４、タイミングジェネレータ１５の一部を有して構成されている。
【００４７】
時系列信号である、外部からの表示信号は、外部インターフェイス１１を介してラム１２に入力される。ラム１２は、外部からの表示信号に基づいて蛍光表示管に２次元の画像を表示するために、ラム１２の各所定領域に、外部からの表示信号を記憶する。タイミングジェネレータ１５は、マスタークロックとしてのクロック信号を分周して得られるタイミングジェネレータクロック信号を基準クロック信号として、ラム１２の各所定領域に記憶された外部からの表示信号を読み出す。また、タイミングジェネレータ１５に対しては、第１のフレーム、第２のフレーム、第３のフレームの各フレームの中のいずれかを繰返して選択するための信号がフレームカウンタ１４から出力される。そして、タイミングジェネレータ１５は、アノード引出線ＤＡ1〜アノード引出線ＤＡmの各々に対して、合計ｍ本のアノード信号を出力する。また、タイミングジェネレータ１５は、グリッド引出線ＤＧ1〜グリッド引出線ＤＧnの各々に対して、合計ｎ本のグリッド信号を出力する。
【００４８】
図１０〜図１２は、アノード引出線ＤＡ1に出力されるアノード信号、およびグリッド引出線ＤＧ1〜グリッド引出線ＤＧnの各々に出力されるグリッド信号のタイミングチャートである。ここで、フレーム周期とは、蛍光表示管の全面に渡る１表示を更新する周期、すなわち、グリッド電極を繰り返して順次ＯＮとするに際して、最初のグリッド電極をＯＦＦからＯＮとする時刻を始期として最後のグリッド電極をＯＮからＯＦＦとする時刻を終期として、始期と終期との間の時間をいうものである。また、１セグメント周期とは、アノードセグメントのＯＮとＯＦＦとを切り替える最小の単位周期をいうものである。１セグメント周期は、また、グリッド電極のＯＮとＯＦＦとを切り替える最小の単位周期でもあり、２セグメント周期の間、各グリッド電極はＯＮとされている。
【００４９】
図１０は第１のフレームにおけるタイミングチャートである。図１１は第２のフレームにおけるタイミングチャートである。図１２は第３のフレームにおけるタイミングチャートである。図１０〜図１２では、グリッド引出線ＤＧ4〜グリッド引出線ＤＧn-2については記載が省略され、アノード引出線ＤＡ2〜アノード引出線ＤＡmについても記載が省略されている。
【００５０】
図１０に示すように、グリッド電極Ｇ1が第１のグリッド電極、グリッド電極Ｇ2が第２のグリッド電極としてＯＮとなるようにグリッド電極引出線ＤＧ1、グリッド電極引出線ＤＧ2がＯＮとされる場合には、第１のフレームにおいては、選択ピクセル（アノードセグメントＣ、アノードセグメントＤ、アノードセグメントＥ、アノードセグメントＦ）の各々が外部からの表示信号に応じて１セグメント周期を単位として同時に、ＯＮ（図１０ではハイレベル）、または、ＯＦＦ（図１０ではローレベル）とされ、選択ピクセルに該当するアノードセグメント以外の他のアノードセグメントはＯＦＦとされる。グリッド電極Ｇ2が第１のグリッド電極、グリッド電極Ｇ3が第２のグリッド電極としてＯＮとなるようにグリッド電極引出線ＤＧ2、グリッド電極引出線ＤＧ3がＯＮとされる場合には、第１のフレームにおいては、選択ピクセル（アノードセグメントＧ、アノードセグメントＨ、アノードセグメントＡ、アノードセグメントＢ）の各々が外部からの表示信号に応じて１セグメント周期を単位として同時に、ＯＮ、または、ＯＦＦとされ、選択ピクセルに該当するアノードセグメント以外の他のアノードセグメントはＯＦＦとされる。
【００５１】
図１１に示すように、グリッド電極Ｇ1が第１のグリッド電極、グリッド電極Ｇ2が第２のグリッド電極としてＯＮとなるようにグリッド電極引出線ＤＧ1、グリッド電極引出線ＤＧ2がＯＮとされる場合には、第２のフレームにおいては、選択ピクセル（アノードセグメントＢ、アノードセグメントＣ、アノードセグメントＤ、アノードセグメントＥ）の各々が外部からの表示信号に応じて１セグメント周期を単位として同時に、ＯＮ（図１１ではハイレベル）、または、ＯＦＦ（図１１ではローレベル）とされ、選択ピクセルに該当するアノードセグメント以外の他のアノードセグメントはＯＦＦとされる。グリッド電極Ｇ2が第１のグリッド電極、グリッド電極Ｇ3が第２のグリッド電極としてＯＮとなるようにグリッド電極引出線ＤＧ2、グリッド電極引出線ＤＧ3がＯＮとされる場合には、選択ピクセル（アノードセグメントＦ、アノードセグメントＧ、アノードセグメントＨ、アノードセグメントＡ）の各々が外部からの表示信号に応じて１セグメント周期を単位として同時に、ＯＮ、または、ＯＦＦとされ、選択ピクセルに該当するアノードセグメント以外の他のアノードセグメントはＯＦＦとされる。
【００５２】
図１２に示すように、グリッド電極Ｇ1が第１のグリッド電極、グリッド電極Ｇ2が第２のグリッド電極としてＯＮとなるようにグリッド電極引出線ＤＧ1、グリッド電極引出線ＤＧ2がＯＮとされる場合には、第３のフレームにおいては、選択ピクセル（アノードセグメントＤ、アノードセグメントＥ、アノードセグメントＦ、アノードセグメントＧ）の各々が外部からの表示信号に応じて１セグメント周期を単位として同時に、ＯＮ（図１１ではハイレベル）、または、ＯＦＦ（図１１ではローレベル）とされ、選択ピクセルに該当するアノードセグメント以外の他のアノードセグメントはＯＦＦとされる。グリッド電極Ｇ2が第１のグリッド電極、グリッド電極Ｇ3が第２のグリッド電極としてＯＮとなるようにグリッド電極引出線ＤＧ2、グリッド電極引出線ＤＧ3がＯＮとされる場合には、選択ピクセル（アノードセグメントＨ、アノードセグメントＡ、アノードセグメントＢ、アノードセグメントＣ）の各々が外部からの表示信号に応じて１セグメント周期を単位として同時に、ＯＮ、または、ＯＦＦとされ、選択ピクセルに該当するアノードセグメント以外の他のアノードセグメントはＯＦＦとされる。ここで、グリッド電極Ｇ1からグリッド電極Ｇnまで隣接したグリッド電極を２つ同時にオンとして順次繰り返す時間（１フレームの時間）は、例えば、２０ｍｓｅｃ（ミリ秒）程度である。このように駆動すれば、各フレームにおける輝度を平均した輝度が視認されることとなり、結果として暗線ムラは目立たなくなる。
【００５３】
図１０〜図１２に示す以外に以下のような組み合わせが１フレームのピクセルとして選択可能である。以下の説明では、グリッド電極Ｇ1（奇数列）とグリッド電極Ｇ3（奇数列）とを奇数列の例として、グリッド電極Ｇ2（偶数列）を偶数列の例として説明をする。
【００５４】
グリッド電極Ｇ1（奇数列）とグリッド電極Ｇ2（偶数列）とがＯＮとなる場合に（アノードセグメントＣ、アノードセグメントＤ、アノードセグメントＥ、アノードセグメントＦ）を選択ピクセルとする場合（図１０を参照）において、グリッド電極Ｇ2（偶数列）とグリッド電極Ｇ3（奇数列）とがＯＮとなる場合には、（アノードセグメントＦ、アノードセグメントＧ、アノードセグメントＨ、アノードセグメントＡ）を選択ピクセルとする（図１１を参照）か、または、（アノードセグメントＨ、アノードセグメントＡ、アノードセグメントＢ、アノードセグメントＣ）を選択ピクセルとする（図１２を参照）こともできる。
【００５５】
グリッド電極Ｇ1（奇数列）とグリッド電極Ｇ2（偶数列）とがＯＮとなる場合に（アノードセグメントＢ、アノードセグメントＣ、アノードセグメントＤ、アノードセグメントＥ）を選択ピクセルとする場合（図１１を参照）において、グリッド電極Ｇ2（偶数列）とグリッド電極Ｇ3（奇数列）とがＯＮとなる場合には、（アノードセグメントＧ、アノードセグメントＨ、アノードセグメントＡ、アノードセグメントＢ）を選択ピクセルとする（図１０を参照）か、または、（アノードセグメントＨ、アノードセグメントＡ、アノードセグメントＢ、アノードセグメントＣ）を選択ピクセルとする（図１２を参照）こともできる。
【００５６】
グリッド電極Ｇ1（奇数列）とグリッド電極Ｇ2（偶数列）とがＯＮとなる場合に（アノードセグメントＤ、アノードセグメントＥ、アノードセグメントＦ、アノードセグメントＧ）を選択ピクセルとする場合（図１２を参照）において、グリッド電極Ｇ2（偶数列）とグリッド電極Ｇ3（奇数列）とがＯＮとなる場合には、（アノードセグメントＧ、アノードセグメントＨ、アノードセグメントＡ、アノードセグメントＢ）を選択ピクセルとする（図１０を参照）か、または、（アノードセグメントＦ、アノードセグメントＧ、アノードセグメントＨ、アノードセグメントＡ）を選択ピクセルとする（図１１を参照）こともできる。
【００５７】
さらには、１フレーム毎に、選択ピクセルを上述するように選択するのみならず、１フレーム中に置いて、以下のように選択ピクセルを選択することもできる。グリッド電極Ｇ1（奇数列）とグリッド電極Ｇ2（偶数列）とがＯＮとなる場合においては、（アノードセグメントＣ、アノードセグメントＤ、アノードセグメントＥ、アノードセグメントＦ）、（アノードセグメントＢ、アノードセグメントＣ、アノードセグメントＤ、アノードセグメントＥ）、（アノードセグメントＤ、アノードセグメントＥ、アノードセグメントＦ、アノードセグメントＧ）の中の任意の１の選択ピクセルを選択し、グリッド電極Ｇ2（偶数列）とグリッド電極Ｇ3（奇数列）とがＯＮとなる場合においては、（アノードセグメントＧ、アノードセグメントＨ、アノードセグメントＡ、アノードセグメントＢ）、（アノードセグメントＦ、アノードセグメントＧ、アノードセグメントＨ、アノードセグメントＡ）、（アノードセグメントＨ、アノードセグメントＡ、アノードセグメントＢ、アノードセグメントＣ）の中の任意の１の選択ピクセルを選択するようにできる。
【００５８】
上述した実施形態の８重アノードマトリックス方式の蛍光表示管を上述した駆動方法で駆動すれば、以下の効果を生じる。
【００５９】
まず、１セグメント周期で、同時に４個のセグメントを点灯することによって、デューティファクタが、シングルマトリックス方式の場合の４倍となる。その結果としてシングルマトリックス方式の４倍の輝度を得ることができる。他の見方をすれば、同じセグメント数を有する場合には、シングルマトリックス方式と比べて同じ輝度を得るために必要とされるグリッド電極の電圧を低くできる。グリッド電極の電圧を低くできることによって、電源回路の電圧を低くすることができるので、蛍光表示管を用いたグラフィックディスプレイを使用できる環境が拡大する。また、グリッド電極を駆動する駆動素子に、耐圧の低いものを使用することができることとなり、駆動素子、ひいては、駆動装置のコストを低減することができる。
【００６０】
次に、隣接する２個のグリッド電極（第１のグリッド電極および第２のグリッド電極）をＯＮとすることによって発光可能とされる４個のアノードセグメントの中で、第１のグリッド電極に最も近接した位置から順に配置され第２のグリッド電極に対向するＸ個（１個〜３個）のアノードセグメントと、第２のグリッド電極に最も近接した位置から順に配置され第１のグリッド電極に対向するＹ個（４個−Ｘ個）のアノードセグメントと、が選択されて形成される選択ピクセルを発光させる（図１０を参照）ことによって、隣接するＯＦＦとされたグリッド電極の電位が与える表示品質の劣化を少なくできる。
【００６１】
さらに、選択ピクセルとして発光させる４個のアノードセグメントの位置を１フレーム毎に、第１のグリッド電極に最も近接した位置から順に配置され第２のグリッド電極に対向する２個のアノードセグメントと、第２のグリッド電極に最も近接した位置から順に配置され第１のグリッド電極に対向する２個のアノードセグメントと、が選択されて形成される選択ピクセルを発光させ（図１０の第１のフレーム）、第１のグリッド電極に最も近接した位置から順に配置され第２のグリッド電極に対向する１個のアノードセグメントと、第２のグリッド電極に最も近接した位置から順に配置され第１のグリッド電極に対向する３個のアノードセグメントと、が選択されて形成される選択ピクセルを発光させ（図１１の第２のフレームの状態）、第１のグリッド電極側に近接した位置に詰めて配置される第２のグリッド電極に対向する３個のアノードセグメントと、第２のグリッド電極側に近接した位置に詰めて配置される第１のグリッド電極に対向する１個のアノードセグメントと、の合計４個のアノードセグメントを選択ピクセルとして発光させ（図１２の第３のフレームの状態）、この３フレームを１セットとして適宜な順番で繰り返すことによって、隣接するＯＦＦとされたアノードセグメントの電位が与える表示品質の劣化、すなわち、表示ムラ、を目立たなくすることができる。
【００６２】
上述した実施形態の変形例について以下に述べる。
【００６３】
第１のフレームの状態、第２のフレームの状態、第３のフレームの状態と繰り返すのではなく、第１のフレームの状態〜第３のフレームの状態の３つの状態の中のいずれかを順次、選択して、３フレームを１セットとして繰り返すようにしても良い。具体的には、第３のフレームの状態、第２のフレームの状態、第１のフレームの状態と順次繰り返すことによっても、隣接するＯＦＦとされたアノードセグメントの電位が与える表示品質の劣化、すなわち、表示ムラを少なくできる。
【００６４】
図１３は、１６重アノードマトリクス方式における実施形態を示す概念図である。１６重アノードマトリクス方式においても、上述した８重アノードマトリクス方式と同様の駆動方法を採用することができる。図１３（ａ）は、グリッド電極Ｇ1が第１のグリッド電極、グリッド電極Ｇ2が第２のグリッド電極としてＯＮとなる場合における、第１のフレームの状態を示し、図１３（ｂ）は、第２のフレームの状態を示し、図１３（ｃ）は、第３のフレームの状態を示し、図１３（ｄ）は、第４のフレームの状態を示し、図１３（ｅ）は、第５のフレームの状態を示す。１６重アノードマトリクス方式においては、アノードセグメントＡ、アノードセグメントＢ、アノードセグメントＣ、アノードセグメントＤ、アノードセグメントＥ、アノードセグメントＦ、アノードセグメントＧ、アノードセグメントＨ、アノードセグメントＩ、アノードセグメントＪ、アノードセグメントＫ、アノードセグメントＬ、アノードセグメントＭ、アノードセグメントＮ、アノードセグメントＯ、アノードセグメントＰ、の１６個のアノードセグメントを１区分に有している。
【００６５】
図１３（ａ）に示すように、第１のフレームにおいては、選択ピクセルを構成する、アノードセグメントＥ、アノードセグメントＦ、アノードセグメントＧ、アノードセグメントＨ、アノードセグメントＩ、アノードセグメントＪ、アノードセグメントＫ、アノードセグメントＬ、の各々が外部からの表示信号に応じて１セグメント周期を単位として同時に、ＯＮ、または、ＯＦＦとされ、他のアノードセグメントはＯＦＦとされる。
【００６６】
図１３（ｂ）に示すように、第２のフレームにおいては、選択ピクセルを構成する、アノードセグメントＤ、アノードセグメントＥ、アノードセグメントＦ、アノードセグメントＧ、アノードセグメントＨ、アノードセグメントＩ、アノードセグメントＪ、アノードセグメントＫ、の各々が外部からの表示信号に応じて１セグメント周期を単位として同時に、ＯＮ、または、ＯＦＦとされ、他のアノードセグメントはＯＦＦとされる。
【００６７】
図１３（ｃ）に示すように、第３のフレームにおいては、選択ピクセルを構成する、アノードセグメントＣ、アノードセグメントＤ、アノードセグメントＥ、アノードセグメントＦ、アノードセグメントＧ、アノードセグメントＨ、アノードセグメントＩ、アノードセグメントＪ、の各々が外部からの表示信号に応じて１セグメント周期を単位として同時に、ＯＮ、または、ＯＦＦとされ、他のアノードセグメントはＯＦＦとされる。
【００６８】
図１３（ｄ）に示すように、第４のフレームにおいては、選択ピクセルを構成する、アノードセグメントＦ、アノードセグメントＧ、アノードセグメントＨ、アノードセグメントＩ、アノードセグメントＪ、アノードセグメントＫ、アノードセグメントＬ、アノードセグメントＭ、の各々が外部からの表示信号に応じて１セグメント周期を単位として同時に、ＯＮ、または、ＯＦＦとされ、他のアノードセグメントはＯＦＦとされる。
【００６９】
図１３（ｅ）に示すように、第５のフレームにおいては、選択ピクセルを構成する、アノードセグメントＧ、アノードセグメントＨ、アノードセグメントＩ、アノードセグメントＪ、アノードセグメントＫ、アノードセグメントＬ、アノードセグメントＭ、アノードセグメントＮ、の各々が外部からの表示信号に応じて１セグメント周期を単位として同時に、ＯＮ、または、ＯＦＦとされ、他のアノードセグメントはＯＦＦとされる。
【００７０】
なお、グリッド電極Ｇ2が第１のグリッド電極、グリッド電極Ｇ3（グリッド電極Ｇ2に隣接する図１３に図示しないグリッド電極）が第２のグリッド電極としてＯＮとなる場合においては、以下のアノードセグメントが選択ピクセルを構成する。第１のフレームにおいては、アノードセグメントＭ、アノードセグメントＮ、アノードセグメントＯ、アノードセグメントＰ、アノードセグメントＡ、アノードセグメントＢ、アノードセグメントＣ、アノードセグメントＤが選択ピクセルを構成する。第２のフレームにおいては、アノードセグメントＬ、アノードセグメントＭ、アノードセグメントＮ、アノードセグメントＯ、アノードセグメントＰ、アノードセグメントＡ、アノードセグメントＢ、アノードセグメントＣが選択ピクセルを構成する。第３のフレームにおいては、アノードセグメントＫ、アノードセグメントＬ、アノードセグメントＭ、アノードセグメントＮ、アノードセグメントＯ、アノードセグメントＰ、アノードセグメントＡ、アノードセグメントＢが選択ピクセルを構成する。第４のフレームにおいては、アノードセグメントＮ、アノードセグメントＯ、アノードセグメントＰ、アノードセグメントＡ、アノードセグメントＢ、アノードセグメントＣ、アノードセグメントＤ、アノードセグメントＥが選択ピクセルを構成する。第５のフレームにおいては、アノードセグメントＯ、アノードセグメントＰ、アノードセグメントＡ、アノードセグメントＢ、アノードセグメントＣ、アノードセグメントＤ、アノードセグメントＥ、アノードセグメントＦが選択ピクセルを構成する。
【００７１】
つまり、第１のフレームの状態では、隣接する２個のグリッド電極（第１のグリッド電極および第２のグリッド電極）をＯＮとすることによって発光可能とされる１６個のアノードセグメントの中で、第１のグリッド電極に最も近接した位置から順に配置され第２のグリッド電極に対向する４個のアノードセグメントと、第２のグリッド電極側に近接した位置に詰めて配置される第１のグリッド電極に対向する４個のアノードセグメントと、の合計８個のアノードセグメントを選択ピクセルとして発光させる。
【００７２】
第２のフレームの状態では、隣接する２個のグリッド電極（第１のグリッド電極および第２のグリッド電極）をＯＮとすることによって発光可能とされる１６個のアノードセグメントの中で、第１のグリッド電極に最も近接した位置から順に配置され第２のグリッド電極に対向する３個のアノードセグメントと、第２のグリッド電極側に近接した位置に詰めて配置される第１のグリッド電極に対向する５個のアノードセグメントと、の合計８個のアノードセグメントを選択ピクセルとして発光させる。
【００７３】
第３のフレームの状態では、隣接する２個のグリッド電極（第１のグリッド電極および第２のグリッド電極）をＯＮとすることによって発光可能とされる１６個のアノードセグメントの中で、第１のグリッド電極に最も近接した位置から順に配置され第２のグリッド電極に対向する２個のアノードセグメントと、第２のグリッド電極側に近接した位置に詰めて配置される第１のグリッド電極に対向する６個のアノードセグメントと、の合計８個のアノードセグメントを選択ピクセルとして発光させる。
【００７４】
第４のフレームの状態では、隣接する２個のグリッド電極（第１のグリッド電極および第２のグリッド電極）をＯＮとすることによって発光可能とされる１６個のアノードセグメントの中で、第１のグリッド電極に最も近接した位置から順に配置され第２のグリッド電極に対向する５個のアノードセグメントと、第２のグリッド電極側に近接した位置に詰めて配置される第１のグリッド電極に対向する３個のアノードセグメントと、の合計８個のアノードセグメントを選択ピクセルとして発光させる。
【００７５】
第５のフレームの状態では、隣接する２個のグリッド電極（第１のグリッド電極および第２のグリッド電極）をＯＮとすることによって発光可能とされる１６個のアノードセグメントの中で、第１のグリッド電極に最も近接した位置から順に配置され第２のグリッド電極に対向する６個のアノードセグメントと、第２のグリッド電極側に近接した位置に詰めて配置される第１のグリッド電極に対向する２個のアノードセグメントと、の合計８個のアノードセグメントを選択ピクセルとして発光させる。
【００７６】
要するに、Ｍが８以上の２のＫ乗で表わされる正整数であるＭ重アノードマトリクス方式の実施形態の蛍光表示管の技術について一般化すると以下のようになる。
【００７７】
本実施形態のＭ重アノードマトリクス方式の蛍光表示管の機構部の構成は、２のＫ乗で表わされる８以上の正整数Ｍ毎に区分され、その区分の中の並びの位置が同位置にあるアノードセグメントを列方向に連結してＭ個のアノード引出線を有して形成されるアノードセグメント行と、アノードセグメント行と直交する行方向に延びグリッド引出線を有して形成されるグリッド電極と、を有し、複数個のアノードセグメント行と複数個のグリッド電極の列とをマトリック状に配置して、各々のグリッド電極と各々のアノードセグメント行の中のＭ／２個のアノードセグメントとを対向させて形成されるものである。
【００７８】
ここで、駆動回路は、Ｍ重アノードマトリクス方式の蛍光表示管の外部、または、内部のいずれに配するものであっても良い。外部に配する場合には、図１に示す構成を有する蛍光表示管と図９に示す駆動回路１０を多数の配線によって接続することとなる。一方、外部に配する場合には、少数の配線（リード）によってその目的を達することができる。
【００７９】
図１４は、蛍光表示管の内部に駆動回路を内蔵するドライバ内蔵蛍光表示管（ＣＩＧＶＦＤ）の斜視断面図である。ドライバ内蔵蛍光表示管３０は、カソード３１、グリッド電極３２、アノードセグメント３３、ベースプレート３４、フィラメントリード３５、ドライバチップ用リード３６、駆動回路１０を主要構成部として有している。
【００８０】
カソード３１は、タングステンの芯線（フィラメント）にBa、Sr、Caの酸化物がコーティングされている。フィラメントの両端に電圧を印加して電子（熱電子）を発生させる。グリッド電極３２は、上述したグリッド電極Ｇ1〜グリッド電極Ｇnと同様のものである。アノードセグメント３３は、上述したアノードセグメントＡ〜アノードセグメントＨと同様のものである。ベースプレート３４は、ガラス基板であり、ソーダライムガラスを使用しており、その内部は真空とされる。フィラメントリード３５は、カソード３１を形成するフィラメントに接続される。ドライバチップ用リード３６は、表示信号（図９を参照）を入力するための端子、クロック信号（図９を参照）を入力するための端子を含んでいる。駆動回路１０は、図９に示す駆動回路１０をＩＣ化したものである。
【００８１】
ベースプレート３４の上に、カソード３１、グリッド電極３２、アノードセグメント３３、ベースプレート３４、フィラメントリード３５、ドライバチップ用リード３６、駆動回路１０の各部材が固着され、これらの各部材を相互に接続するパタンが形成されている。このようにして、ドライバ内蔵蛍光表示管３０の機構部の内部に駆動回路１０を組み込むことによって、ドライバ内蔵蛍光表示管３０の駆動に必要な電極は、フィラメントリード３５を含む電源用のリードとドライバチップ用リード３６だけとでき、大幅に外部リードを減らすことができる。
【００８２】
そして、Ｍ重アノードマトリクス方式の蛍光表示管の内部、または、外部のいずれかに配される駆動回路によって蛍光表示管は、以下のように制御される。
【００８３】
隣接する第１のグリッド電極と第２のグリッド電極とをオンとすることによって発光可能とされるＭ個のアノードセグメントの中で、以下の（Ｍ／２）個のアノードセグメントによって構成される選択ピクセルの中の１の選択ピクセルを順次１フレームずつ表示信号に応じて発光させる。
【００８４】
第１のグリッド電極に最も近接した位置から順に配置され第２のグリッド電極に対向する（Ｍ／４）個のアノードセグメントと第２のグリッド電極に最も近接した位置から順に配置され第１のグリッド電極に対向する（Ｍ／４）個のアノードセグメントによって形成される選択ピクセル。
【００８５】
第１のグリッド電極に最も近接した位置から順に配置され第２のグリッド電極に対向する（Ｍ／４−Ｊ）個のアノードセグメントと、第２のグリッド電極に最も近接した位置から順に配置され第１のグリッド電極に対向する（Ｍ／４＋Ｊ）個のアノードセグメントと、を有するように、Ｊの値を１から２(K-3)まで変化させて選択されて形成される２(K-3)個の選択ピクセル。
【００８６】
第１のグリッド電極に最も近接した位置から順に配置され第２のグリッド電極に対向する（Ｍ／４＋Ｊ）個のアノードセグメントと、第２のグリッド電極に最も近接した位置から順に配置され第１のグリッド電極に対向する（Ｍ／４−Ｊ）個のアノードセグメントと、を有するように、Ｊの値を１から２(K-3)まで変化させて選択されて形成される２(K-3)個の選択ピクセル。
【００８７】
よって、選択ピクセルの総数は、１個＋２(K-3)個＋２(K-3)個となり、この複数個の中の１選択ピクセルが１フレーム毎に選択される。
【００８８】
ここで、選択ピクセルに含まれるアノードセグメントの数について説明をする。上述した実施形態の、８重アノードマトリクス方式、１６重アノードマトリクス方式、に関する技術では、隣接する２つのグリッド電極をＯＮとして同時に発光するアノードセグメントの個数、すなわち、選択ピクセルを構成するアノードセグメントの個数は、８重アノードマトリクス方式では４個、１６重アノードマトリクス方式では８個とした。実施形態のＭ重アノードマトリクス方式では、選択ピクセルを構成するアノードセグメントの個数をＭ／２個とする。同時に発光するアノードセグメントの個数をＭ／２個とする理由は、同時にＯＮとされる２個のグリッド電極の各々の左右にあるＯＦＦとされる２個のグリッド電極の影響を少なくする効果と、デューティファクタを向上させる効果とのバランス点として、Ｍ／２個を選ぶのである。なお、同時にＯＮとされる２個のグリッド電極の各々の左右にあるＯＦＦとされる２個のグリッド電極の影響を少なくする効果をより良好なものとすることを目的とするならば、選択ピクセルを構成するアノードセグメントの個数をより少なくするほうがより大きな効果が得られる。一方、選択ピクセルを構成するアノードセグメントの個数が少ないほどデューティファクタは低下する。
【００８９】
上述した８重アノードマトリクス方式における実施形態について上述の一般式に当てはめる。８重アノードマトリクス方式ではＭ＝８、Ｋ＝３、２(K-3)＝１、Ｊ＝１である。
【００９０】
隣接する第１のグリッド電極と第２のグリッド電極とをオンとすることによって発光可能とされる８個（Ｍ個）のアノードセグメントの中で、以下の４個（Ｍ／２個）のアノードセグメントによって構成される選択ピクセルの中の１の選択ピクセルを順次１フレームずつ表示信号に応じて発光させる。
【００９１】
隣接する２個のグリッド電極（第１のグリッド電極および第２のグリッド電極）をＯＮとすることによって発光可能とされる４個（Ｍ／２個）のアノードセグメントの中で、第１のグリッド電極に最も近接した位置から順に配置され第２のグリッド電極に対向する２個（Ｍ／４個）のアノードセグメントと、第２のグリッド電極に最も近接した位置から順に配置され第１のグリッド電極に対向する２個（Ｍ／４個）のアノードセグメントとが選択されて形成される選択ピクセル（図７（ａ）を参照）。
【００９２】
第１のグリッド電極に最も近接した位置から順に配置され第２のグリッド電極に対向する１個（（Ｍ／４−Ｊ）個）のアノードセグメントと、第２のグリッド電極に最も近接した位置から順に配置され第１のグリッド電極に対向する３個（（Ｍ／４＋Ｊ）個）のアノードセグメントとが選択されて形成される選択ピクセル（図７（ｂ）を参照）。
【００９３】
第１のグリッド電極に最も近接した位置から順に配置され第２のグリッド電極に対向する３個（（Ｍ／４＋Ｊ）個）のアノードセグメントと、第２のグリッド電極に最も近接した位置から順に配置され第１のグリッド電極に対向する１個（（Ｍ／４−Ｊ）個）のアノードセグメントとが選択されて形成される選択ピクセル（図７（ｃ）を参照）。
【００９４】
上述した１６重アノードマトリクス方式における実施形態について上述の一般式に当てはめる。１６重アノードマトリクス方式ではＭ＝１６、Ｋ＝４、２(K-3)＝２、Ｊ＝１、２である。
【００９５】
隣接する第１のグリッド電極と第２のグリッド電極とをオンとすることによって発光可能とされる１６個のアノードセグメントの中で、以下の８個のアノードセグメントによって構成される選択ピクセルの中の１の選択ピクセルを順次１フレームずつ表示信号に応じて発光させる。
【００９６】
隣接する２個のグリッド電極（第１のグリッド電極および第２のグリッド電極）をＯＮとすることによって発光可能とされる８個（Ｍ／２個）のアノードセグメントの中で、第１のグリッド電極に最も近接した位置から順に配置され第２のグリッド電極に対向する４個（Ｍ／４個）のアノードセグメントと、第２のグリッド電極に最も近接した位置から順に配置され第１のグリッド電極に対向する４個（Ｍ／４個）のアノードセグメントとが選択されて形成される選択ピクセル（図１３（ａ）を参照）。
【００９７】
Ｊ＝１において、第１のグリッド電極に最も近接した位置から順に配置され第２のグリッド電極に対向する３個（（Ｍ／４−Ｊ）個）のアノードセグメントと、第２のグリッド電極に最も近接した位置から順に配置され第１のグリッド電極に対向する５個（（Ｍ／４＋Ｊ）個）のアノードセグメントとが選択されて形成される選択ピクセル（図１３（ｂ）を参照）。
【００９８】
Ｊ＝２において、第１のグリッド電極に最も近接した位置から順に配置され第２のグリッド電極に対向する２個（（Ｍ／４−Ｊ）個）のアノードセグメントと、第２のグリッド電極に最も近接した位置から順に配置され第１のグリッド電極に対向する６個（（Ｍ／４＋Ｊ）個）のアノードセグメントとが選択されて形成される選択ピクセル（図１３（ｃ）を参照）。
【００９９】
Ｊ＝１において、第１のグリッド電極に最も近接した位置から順に配置され第２のグリッド電極に対向する５個（（Ｍ／４＋Ｊ）個）のアノードセグメントと、第２のグリッド電極に最も近接した位置から順に配置され第１のグリッド電極に対向する３個（（Ｍ／４−Ｊ）個）のアノードセグメントとが選択されて形成される選択ピクセル（図１３（ｄ）を参照）。
【０１００】
Ｊ＝２において、第１のグリッド電極に最も近接した位置から順に配置され第２のグリッド電極に対向する６個（（Ｍ／４＋Ｊ）個）のアノードセグメントと、第２のグリッド電極に最も近接した位置から順に配置され第１のグリッド電極に対向する２個（（Ｍ／４−Ｊ）個）のアノードセグメントとが選択されて形成される選択ピクセル（図１３（ｅ）を参照）。
【０１０１】
また、暗線ムラの発生を防止する効果に着目すれば、この効果を達するための他の実施形態のＭ重アノードマトリクス方式としては、Ｍを２の冪乗の整数とすることなく、単に正整数Ｑとしても良い。選択ピクセルを構成するアノードセグメントの数は、Ｑ個よりも小さい数であるＲ個であり、隣接する２つの電極の各々に少なくとも１個のアノードセグメントが対向するようにする。このような条件を満たす、異なるアノードセグメントの配置を有する複数の選択ピクセルの中の一つをフレーム毎に選択することによって暗線ムラの発生を防止する効果を得ることができる。
【０１０２】
発明を実施するための別の形態に係る技術は、８以上の偶数の正整数Ｑ毎に区分され、その区分の中の並びの位置が同位置にあるアノードセグメントを列方向に連結してＱ個のアノード引出線を有して形成されるアノードセグメント行と、アノードセグメント行と直交する行方向に延びグリッド引出線を有して形成されるグリッド電極と、を有し、複数個のアノードセグメント行と複数個のグリッド電極の列とをマトリック状に配置して、各々のグリッド電極と各々のアノードセグメント行の中のＱ／２個のアノードセグメントとを対向させて形成される、Ｑ重アノードマトリクス方式について、蛍光表示管、蛍光表示管の駆動回路、および蛍光表示管の駆動方法に関するものである。
【０１０３】
隣接する第１のグリッド電極と第２のグリッド電極とをオンとすることによって発光可能とされるＱ個のアノードセグメントの中で、第１のグリッド電極に最も近接した位置から順に配置され第２のグリッド電極に対向する１個ないし（Ｑ／２−１）個の範囲中のいずれかの個数であるＲ個のアノードセグメントと、第２のグリッド電極に最も近接した位置から順に配置され第１のグリッド電極に対向する（Ｑ／２−Ｒ）個のアノードセグメントとの、合計してＱ／２個のアノードセグメントが選択されて形成される複数の選択ピクセルの中の１の選択ピクセルを順次１フレームずつ表示信号に応じて発光させることを特徴とする。
【０１０４】
図１５は、１２重アノードマトリクス方式における実施形態を示す概念図である。
【０１０５】
図１５（ａ）は、グリッド電極Ｇ1が第１のグリッド電極、グリッド電極Ｇ2が第２のグリッド電極としてＯＮとなる場合における、第１のフレームの状態を示し、図１５（ｂ）は、第２のフレームの状態を示し、図１５（ｃ）は、第３のフレームの状態を示し、図１５（ｄ）は、第４のフレームの状態を示し、図１５（ｅ）は、第５のフレームの状態を示す。
【０１０６】
１２重アノードマトリクス方式においては、アノードセグメントＡ、アノードセグメントＢ、アノードセグメントＣ、アノードセグメントＤ、アノードセグメントＥ、アノードセグメントＦ、アノードセグメントＧ、アノードセグメントＨ、アノードセグメントＩ、アノードセグメントＪ、アノードセグメントＫ、アノードセグメントＬ、の１２個のアノードセグメントを１区分に有している。
【０１０７】
図１５（ａ）に示すように、第１のフレームにおいては、選択ピクセルを構成する、アノードセグメントＤ、アノードセグメントＥ、アノードセグメントＦ、アノードセグメントＧ、アノードセグメントＨ、アノードセグメントＩ、の各々が外部からの表示信号に応じて１セグメント周期を単位として同時に、ＯＮ、または、ＯＦＦとされ、他のアノードセグメントはＯＦＦとされる。
【０１０８】
図１５（ｂ）に示すように、第２のフレームにおいては、選択ピクセルを構成する、アノードセグメントＣ、アノードセグメントＤ、アノードセグメントＥ、アノードセグメントＦ、アノードセグメントＧ、アノードセグメントＨ、の各々が外部からの表示信号に応じて１セグメント周期を単位として同時に、ＯＮ、または、ＯＦＦとされ、他のアノードセグメントはＯＦＦとされる。
【０１０９】
図１５（ｃ）に示すように、第３のフレームにおいては、選択ピクセルを構成する、アノードセグメントＢ、アノードセグメントＣ、アノードセグメントＤ、アノードセグメントＥ、アノードセグメントＦ、アノードセグメントＧ、の各々が外部からの表示信号に応じて１セグメント周期を単位として同時に、ＯＮ、または、ＯＦＦとされ、他のアノードセグメントはＯＦＦとされる。
【０１１０】
図１５（ｄ）に示すように、第４のフレームにおいては、選択ピクセルを構成する、アノードセグメントＥ、アノードセグメントＦ、アノードセグメントＧ、アノードセグメントＨ、アノードセグメントＩ、アノードセグメントＪ、の各々が外部からの表示信号に応じて１セグメント周期を単位として同時に、ＯＮ、または、ＯＦＦとされ、他のアノードセグメントはＯＦＦとされる。
【０１１１】
図１５（ｅ）に示すように、第５のフレームにおいては、選択ピクセルを構成する、アノードセグメントＦ、アノードセグメントＧ、アノードセグメントＨ、アノードセグメントＩ、アノードセグメントＪ、アノードセグメントＫ、の各々が外部からの表示信号に応じて１セグメント周期を単位として同時に、ＯＮ、または、ＯＦＦとされ、他のアノードセグメントはＯＦＦとされる。
【０１１２】
なお、グリッド電極Ｇ2が第１のグリッド電極、グリッド電極Ｇ3（グリッド電極Ｇ2に隣接する図１５に図示しないグリッド電極）が第２のグリッド電極としてＯＮとなる場合においては、以下のアノードセグメントが選択ピクセルを構成する。
【０１１３】
第１のフレームにおいては、アノードセグメントＪ、アノードセグメントＫ、アノードセグメントＬ、アノードセグメントＡ、アノードセグメントＢ、アノードセグメントＣが選択ピクセルを構成する。第２のフレームにおいては、アノードセグメントＩ、アノードセグメントＪ、アノードセグメントＫ、アノードセグメントＬ、アノードセグメントＡ、アノードセグメントＢが選択ピクセルを構成する。第３のフレームにおいては、アノードセグメントＨ、アノードセグメントＩ、アノードセグメントＪ、アノードセグメントＫ、アノードセグメントＬ、アノードセグメントＡが選択ピクセルを構成する。
【０１１４】
第４のフレームにおいては、アノードセグメントＫ、アノードセグメントＬ、アノードセグメントＡ、アノードセグメントＢ、アノードセグメントＣ、アノードセグメントＤが選択ピクセルを構成する。第５のフレームにおいては、アノードセグメントＬ、アノードセグメントＡ、アノードセグメントＢ、アノードセグメントＣ、アノードセグメントＤ、アノードセグメントＥが選択ピクセルを構成する。
【０１１５】
つまり、第１のフレームの状態では、隣接する２個のグリッド電極（第１のグリッド電極および第２のグリッド電極）をＯＮとすることによって発光可能とされる１２個のアノードセグメントの中で、第１のグリッド電極に最も近接した位置から順に配置され第２のグリッド電極に対向する３個のアノードセグメントと、第２のグリッド電極側に近接した位置に詰めて配置される第１のグリッド電極に対向する３個のアノードセグメントと、の合計６個のアノードセグメントからなる選択ピクセルを外部からの表示信号に応じて１セグメント周期を単位として同時に、ＯＮ、または、ＯＦＦとする。
【０１１６】
第２のフレームの状態では、隣接する２個のグリッド電極（第１のグリッド電極および第２のグリッド電極）をＯＮとすることによって発光可能とされる１２個のアノードセグメントの中で、第１のグリッド電極に最も近接した位置から順に配置され第２のグリッド電極に対向する２個のアノードセグメントと、第２のグリッド電極側に近接した位置に詰めて配置される第１のグリッド電極に対向する４個のアノードセグメントと、の合計６個のアノードセグメントからなる選択ピクセルを外部からの表示信号に応じて１セグメント周期を単位として同時に、ＯＮ、または、ＯＦＦとする。
【０１１７】
第３のフレームの状態では、隣接する２個のグリッド電極（第１のグリッド電極および第２のグリッド電極）をＯＮとすることによって発光可能とされる１２個のアノードセグメントの中で、第１のグリッド電極に最も近接した位置から順に配置され第２のグリッド電極に対向する１個のアノードセグメントと、第２のグリッド電極側に近接した位置に詰めて配置される第１のグリッド電極に対向する５個のアノードセグメントと、の合計６個のアノードセグメントからなる選択ピクセルを外部からの表示信号に応じて１セグメント周期を単位として同時に、ＯＮ、または、ＯＦＦとする。
【０１１８】
第４のフレームの状態では、隣接する２個のグリッド電極（第１のグリッド電極および第２のグリッド電極）をＯＮとすることによって発光可能とされる１２個のアノードセグメントの中で、第１のグリッド電極に最も近接した位置から順に配置され第２のグリッド電極に対向する４個のアノードセグメントと、第２のグリッド電極側に近接した位置に詰めて配置される第１のグリッド電極に対向する２個のアノードセグメントと、の合計６個のアノードセグメントからなる選択ピクセルを外部からの表示信号に応じて１セグメント周期を単位として同時に、ＯＮ、または、ＯＦＦとする。
【０１１９】
第５のフレームの状態では、隣接する２個のグリッド電極（第１のグリッド電極および第２のグリッド電極）をＯＮとすることによって発光可能とされる１２個のアノードセグメントの中で、第１のグリッド電極に最も近接した位置から順に配置され第２のグリッド電極に対向する５個のアノードセグメントと、第２のグリッド電極側に近接した位置に詰めて配置される第１のグリッド電極に対向する１個のアノードセグメントと、の合計６個のアノードセグメントからなる選択ピクセルを外部からの表示信号に応じて１セグメント周期を単位として同時に、ＯＮ、または、ＯＦＦとする。
【０１２０】
本実施形態の、８重アノードマトリクス方式、１６重アノードマトリクス方式に加えて、１２重アノードマトリクス方式も含むＱ重マトリックス方式は、以下のように一般化できる。８以上の偶数の正整数Ｑ毎に区分され、その区分の中の並びの位置が同位置にあるアノードセグメントを列方向に連結してＱ個のアノード引出線を有して形成されるアノードセグメント行と、アノードセグメント行と直交する行方向に延びグリッド引出線を有して形成されるグリッド電極と、を有し、複数個のアノードセグメント行と複数個のグリッド電極の列とをマトリック状に配置して、各々のグリッド電極と各々のアノードセグメント行の中のＱ／２個のアノードセグメントとを対向させて形成される、Ｑ重アノードマトリクス方式の蛍光表示管において、隣接する第１のグリッド電極と第２のグリッド電極とをオンとすることによって発光可能とされるＱ個のアノードセグメントの中で、第１のグリッド電極に最も近接した位置から順に配置され第２のグリッド電極に対向する１個ないし（Ｑ／２−１）個の範囲中のいずれかの個数であるＲ個のアノードセグメントと、第２のグリッド電極に最も近接した位置から順に配置され第１のグリッド電極に対向する（Ｑ／２−Ｒ）個のアノードセグメントとの、合計してＱ／２個のアノードセグメントが選択されて形成される複数の選択ピクセルの中の１の選択ピクセルを順次１フレームずつ表示信号に応じて発光させる。
【０１２１】
本実施形態の、８重アノードマトリクス方式では、Ｑ＝８であり、各々のグリッド電極と４（Ｑ／２）個のアノードセグメントとを対向させて配置し、第１のグリッド電極に最も近接した位置から順に配置され第２のグリッド電極に対向する１個ないし（Ｑ／２−１）個の範囲中のいずれかの個数（１、２、３）であるＲ個のアノードセグメントと、第２のグリッド電極に最も近接した位置から順に配置され第１のグリッド電極に対向する（３、２、１）（Ｑ／２−Ｒ）個のアノードセグメントとの、合計して４（Ｑ／２）個のアノードセグメントが選択されて形成される、３種類の選択ピクセルの中の１の選択ピクセルを順次１フレームずつ表示信号に応じて発光させる。
【０１２２】
ここで、第１の選択ピクセルは、第２のグリッド電極に対向する２個のアノードセグメントと第１のグリッド電極に対向する２個のアノードセグメントとの組み合わせとなる。また、第２の選択ピクセルは、第２のグリッド電極に対向する１個のアノードセグメントと第１のグリッド電極に対向する３個のアノードセグメントとの組み合わせとなる。第３の選択ピクセルは、第２のグリッド電極に対向する３個のアノードセグメントと第１のグリッド電極に対向する１個のアノードセグメントとの組み合わせとなる。
【０１２３】
本実施形態の、上述した１２重アノードマトリクス方式では、Ｑ＝１２であり、各々のグリッド電極と６（Ｑ／２）個のアノードセグメントとを対向させて配置し、第１のグリッド電極に最も近接した位置から順に配置され第２のグリッド電極に対向する１個ないし（Ｑ／２−１）個の範囲中のいずれかの個数（１、２、３、４、５）であるＲ個のアノードセグメントと、第２のグリッド電極に最も近接した位置から順に配置され第１のグリッド電極に対向する（５、４、３、２、１）（Ｑ／２−Ｒ）個のアノードセグメントとの、合計して６（Ｑ／２）個のアノードセグメントが選択されて形成される、５種類の選択ピクセルの中の１の選択ピクセルを順次１フレームずつ表示信号に応じて発光させる。
【０１２４】
本実施形態の、１６重アノードマトリクス方式では、Ｑ＝１６であり、各々のグリッド電極と８（Ｑ／２）個のアノードセグメントとを対向させて配置し、第１のグリッド電極に最も近接した位置から順に配置され第２のグリッド電極に対向する１個ないし（Ｑ／２−１）個の範囲中のいずれかの個数（１、２、３、４、５、６、７）であるＲ個のアノードセグメントと、第２のグリッド電極に最も近接した位置から順に配置され第１のグリッド電極に対向する（７、６、５、４、３、２、１）（Ｑ／２−Ｒ）個のアノードセグメントとの、合計して８（Ｑ／２）個のアノードセグメントが選択されて形成される、７種類の選択ピクセルの中の１の選択ピクセルを順次１フレームずつ表示信号に応じて発光させる。
【０１２５】
ここで、第１の選択ピクセルは、第２のグリッド電極に対向する４個のアノードセグメントと第１のグリッド電極に対向する４個のアノードセグメントとの組み合わせとなる。また、第２の選択ピクセルは、第２のグリッド電極に対向する３個のアノードセグメントと第１のグリッド電極に対向する５個のアノードセグメントとの組み合わせとなる。第３の選択ピクセルは、第２のグリッド電極に対向する２個のアノードセグメントと第１のグリッド電極に対向する６個のアノードセグメントとの組み合わせとなる。第４の選択ピクセルは、第２のグリッド電極に対向する１個のアノードセグメントと第１のグリッド電極に対向する７個のアノードセグメントとの組み合わせとなる。第５の選択ピクセルは、第２のグリッド電極に対向する５個のアノードセグメントと第１のグリッド電極に対向する３個のアノードセグメントとの組み合わせとなる。第６の選択ピクセルは、第２のグリッド電極に対向する６個のアノードセグメントと第１のグリッド電極に対向する２個のアノードセグメントとの組み合わせとなる。第７の選択ピクセルは、第２のグリッド電極に対向する７個のアノードセグメントと第１のグリッド電極に対向する１個のアノードセグメントとの組み合わせとなる。
【０１２６】
本実施形態の１６重アノードマトリクス方式では選択ピクセルの数は７種類となり、上述した選択ピクセルの数が５種類の実施形態の１６重アノードマトリクス方式よりも、選択ピクセルの数を増やして、暗線ムラの発生を防止する効果をより高くすることができる。なお、Ｑ＝１６とする、１６重アノードマトリクス方式では隣接する一方のグリッド電極に対向する、１個ないし（Ｑ／２−１）個の範囲中においてＲの個数を選ぶようにしても良い。２個ないし（Ｑ／２−２）個の中のいずれかの個数であるＲ個のアノードセグメントと、第２のグリッド電極に最も近接した位置から順に配置され第１のグリッド電極に対向する（Ｑ／２−Ｒ）個のアノードセグメントとの、合計して（Ｑ／２）個のアノードセグメントが選択されて選択ピクセルが形成されるようにすれば、上述した選択ピクセルの数が５種類の実施形態の１６重アノードマトリクス方式と同じ構成となる。一般的には、Ｑ重アノードマトリクス方式において、Ｑ＝２Kで表わせる場合には、隣接する一方のグリッド電極に対向する、２(k-3)個ないし（Ｑ／２−２(k-3)）個の中のいずれかの個数であるＲ個のアノードセグメントと、第２のグリッド電極に最も近接した位置から順に配置され第１のグリッド電極に対向する（Ｑ／２−Ｒ）個のアノードセグメントとの、合計して（Ｑ／２）個のアノードセグメントが選択されて選択ピクセルが形成されるようにすれば、先に述べた実施形態と同様の構成となる。
【０１２７】
本実施形態においても、図１４に示すようにして、蛍光表示管の内部に駆動回路を内蔵するドライバ内蔵蛍光表示管（ＣＩＧＶＦＤ）を構成するようにしても良い。
【０１２８】
上述した実施形態を組み合わせて新たな実施形態とすることもできる。例えば、実施形態の技術においては、８重マトリック方式では、選択ピクセルの数は３種類、１６重マトリックス方式では、５種類の選択ピクセルがある。ここで、すべての選択ピクセルを、順次１フレームずつ表示信号に応じて発光させるのみならず、８重マトリックス方式では３種類の範囲以内の任意の数の選択ピクセルを選んで、１６重マトリックス方式では５種類の範囲以内の任意の数の選択ピクセルを選んで、順次１フレームずつ表示信号に応じて発光させることもできる。別の実施形態の技術においては、８重マトリック方式では、選択ピクセルの数は３種類、１２重マトリックス方式では、５種類、１６重マトリックス方式では、７種類の選択ピクセルがある。ここで、すべての選択ピクセルを、順次１フレームずつ表示信号に応じて発光させるのみならず、８重マトリックス方式では３種類の範囲以内の任意の数の選択ピクセルを選んで、１２重マトリックス方式では５種類の範囲以内の任意の数の選択ピクセルを選んで、１６重マトリックス方式では７種類の範囲以内の任意の数の選択ピクセルを選んで、順次１フレームずつ表示信号に応じて発光させることもできる。また、本発明は、上述した実施形態に限定されるものではないことは言うまでもない。
【符号の説明】
【０１２９】
１０  駆動回路、  １１  外部インターフェイス、  １２  ラム、  １３  カウンタ、  １４  フレームカウンタ、  １５  タイミングジェネレータ、  ３０  ドライバ内蔵蛍光表示管、  ３１  カソード、  ３２  グリッド電極、  ３３  アノードセグメント、  ３４  ベースプレート、  ３５  フィラメントリード、  ３６  ドライバチップ用リード、  Ａ、Ｂ、Ｃ、Ｄ、Ｅ、Ｆ、Ｇ、Ｈ、Ｉ、Ｊ、Ｋ、Ｌ、Ｍ、Ｎ、Ｏ、Ｐ  アノードセグメント、  ＤＡ1、ＤＡ1A、ＤＡ1B、ＤＡ1C、ＤＡ1D、ＤＡ1E、ＤＡ1F、ＤＡ1G、ＤＡ1H、ＤＡ2、ＤＡ2A、ＤＡ2H、ＤＡm、ＤＡmA、ＤＡmH、ＤＧ1、ＤＧ2、ＤＧ4、ＤＧn  グリッド引出線、  Ｇ1、Ｇ2、Ｇ3、Ｇ4、Ｇn  グリッド電極
【図１】
0005612524.tif 000002
【図２】
0005612524.tif 000003
【図３】
0005612524.tif 000004
【図４】
0005612524.tif 000005
【図５】
0005612524.tif 000006
【図６】
0005612524.tif 000007
【図７】
0005612524.tif 000008
【図８】
0005612524.tif 000009
【図９】
0005612524.tif 000010
【図１０】
0005612524.tif 000011
【図１１】
0005612524.tif 000012
【図１２】
0005612524.tif 000013
【図１３】
0005612524.tif 000014
【図１４】
0005612524.tif 000015
【図１５】
0005612524.tif 000016